(57)【特許請求の範囲】
【請求項１】
アップリンク電力制御方法であって、
端末設備が、現在のアップリンクサブフレームにおいて伝送する各アップリンクチャネル／信号の目標送信電力を確定するステップと、
前記端末設備が、現在のアップリンクサブフレームにおけるアップリンクチャネル／信号の伝送時間を複数の送信時間区間に分割するステップと、
前記端末設備が、各送信時間区間において、電力制御後の、当該送信時間区間において伝送するアップリンクチャネル／信号の送信電力の合計が前記端末設備の既定最大送信電力を超えないことを満たせるように、当該送信時間区間において伝送するアップリンクチャネル／信号の目標送信電力に対して電力制御を行うステップとを備え、
各送信時間区間において、任意の時刻におけるアップリンクチャネル／信号は同じであり、
各送信時間区間におけるアップリンクチャネル／信号は、他の送信時間区間におけるアップリンクチャネル／信号と完全に同じではなく、
前記端末設備が、前記各送信時間区間において、当該送信時間区間において伝送するアップリンクチャネル／信号の目標送信電力に対して電力制御を行うステップは、
前記端末設備が、前記各送信時間区間において、当該送信時間区間において伝送する現在のアップリンクサブフレームにおけるアップリンクチャネル／信号の目標送信電力と、当該送信時間区間において伝送する他のアップリンクチャネル／信号の目標送信電力の合計が、前記既定最大送信電力を超えるか否かを判断するステップと、
超えると判断する場合、前記端末設備が、電力制御後の、当該送信時間区間において前記現在のアップリンクサブフレームにおけるアップリンクチャネル／信号の送信電力と前記他のアップリンクチャネル／信号の送信電力との合計が前記既定最大送信電力を超えないことを満たせるように、当該送信時間区間において伝送する前記アップリンクチャネル／信号の目標送信電力に対して電力制御を行うステップと、
超えないと判断する場合、前記端末設備が、前記現在のアップリンクサブフレームにおけるアップリンクチャネル／信号の目標送信電力を、当該アップリンクチャネル／信号の前記送信時間区間における送信電力とするステップとを備え、
前記他のアップリンクチャネル／信号は、当該送信時間区間において伝送する、現在のアップリンクサブフレームの前の隣接アップリンクサブフレームにおけるアップリンクチャネル／信号、及び／又は現在アップリンクサブフレームの後の隣接サブフレームにおけるアップリンクチャネル／信号を備え、
又は、前記他のアップリンクチャネル／信号は、空集合であることを特徴とするアップリンク電力制御方法。
【請求項２】
前記端末設備が、現在のアップリンクサブフレームにおけるアップリンクチャネル／信号の伝送時間を複数の送信時間区間に分割するステップは、
前記端末設備が、各アップリンクチャネル／信号に対応する送信時間前進量に従って、現在のアップリンクサブフレームにおけるアップリンクチャネル／信号の伝送時間を複数の送信時間区間に分割するステップを備え、
前記送信時間区間の数は、前記端末設備によりアグリゲーションされたか、又は活性化されたアップリンクキャリアにおける異なる送信時間前進量を有する数に１を加算したものであることを特徴とする請求項１に記載の方法。
【請求項３】
超えると判断する場合、前記端末設備は、電力制御後の、当該送信時間区間において、前記現在のアップリンクサブフレームのアップリンクチャネル／信号の目標送信電力と前記他のアップリンクチャネル／信号の送信電力との合計が前記既定最大送信電力を超えないことを満たせるように、当該送信時間区間において伝送する前記アップリンクチャネル／信号の目標送信電力に対して電力制御を行うステップは、
前記端末設備が、電力制御後の、前記送信時間区間において前記現在のアップリンクサブフレームのアップリンクチャネル／信号の送信電力の合計が現在の利用可能な最大送信電力を超えないことを満たせるように、当該送信時間区間において伝送する前記他のアップリンクチャネル／信号の送信電力に基づいて、前記送信時間区間において伝送する前記現在のアップリンクサブフレームのアップリンクチャネル／信号の目標送信電力に対して電力制御を行い、前記現在の利用可能な最大送信電力が、前記既定最大送信電力から前記他のアップリンクチャネル／信号の送信電力を減算したものであり、前記他のアップリンクチャネル／信号が、当該送信時間区間において伝送する、現在のアップリンクサブフレームの直前の隣接アップリンクサブフレームにおけるアップリンクチャネル／信号、及び／又は現在アップリンクサブフレームの直後の隣接サブフレームにおけるアップリンクチャネル／信号を備えるステップと、
又は、前記端末設備が、電力制御後の、前記送信時間区間において、前記現在のアップリンクサブフレームのアップリンクチャネル／信号の送信電力と前記他のアップリンクチャネル／信号の送信電力との合計が前記既定最大送信電力を超えないことを満たせるように、当該送信時間区間において伝送する前記他のアップリンクチャネル／信号の送信電力、及び前記送信時間区間において伝送する前記現在のアップリンクサブフレームのアップリンクチャネル／信号の目標送信電力に対して電力制御を行い、前記他のアップリンクチャネル／信号が、当該送信時間区間において伝送する、現在のアップリンクサブフレームの直前の隣接アップリンクサブフレームにおけるアップリンクチャネル／信号、及び／又は現在アップリンクサブフレームの直後の隣接サブフレームにおけるアップリンクチャネル／信号を備えるステップと、
又は、前記端末設備が、電力制御後の、前記送信時間区間において、前記現在のアップリンクサブフレームのアップリンクチャネル／信号の送信電力の合計が前記既定最大送信電力を超えないことを満たせるように、前記送信時間区間において伝送する前記現在のアップリンクチャネル／信号の目標送信電力に対して電力制御を行うステップとを備えることを特徴とする請求項１に記載の方法。
【請求項４】
前記端末設備が、前記各送信時間区間において、当該送信時間区間において伝送する、電力制御が必要とするアップリンクチャネル／信号の目標送信電力に対して電力制御を行うステップは、
前記端末設備が、前記送信時間区間において伝送する、電力制御が必要とするアップリンクチャネル／信号の目標送信電力に対して均等比例で電力を低減し、電力制御後に前記アップリンクチャネル／信号の前記送信時間区間における送信電力を取得するステップと、
又は、前記端末設備が、前記送信時間区間において伝送する、電力制御が必要とするアップリンクチャネル／信号に対して、チャネル／信号の優先順位に従って、昇順で電力を徐々に低減し、同一チャネル／信号優先順位を有する複数のチャネル／信号の目標送信電力に対して均等比例で電力を低減し、電力制御後に、前記アップリンクチャネル／信号の前記送信時間区間における送信電力を取得し、また、電力を減少する必要がないアップリンクチャネル／信号に対して、その目標送信電力を、電力制御した後に、前記アップリンクチャネル／信号の前記送信時間区間における送信電力として確定するステップと、
又は、前記端末設備が、前記送信時間区間において伝送する、電力制御が必要とするアップリンクチャネル／信号において同一帯域に位置するアップリンクチャネル／信号の目標送信電力に対して、均等比例で電力を低減し、前記送信時間区間において伝送する、電力制御が必要とするアップリンクチャネル／信号のうちの異なる帯域に位置するアップリンクチャネル／信号の目標送信電力に対して、当該帯域に対応する電力低減因子に基づいて電力を低減し、電力制御後に各アップリンクチャネル／信号の前記送信時間区間における送信電力を取得するステップと、
又は、前記端末設備が、チャネル／信号の優先順位の降順で、前記送信時間区間において伝送する、電力制御が必要とするアップリンクチャネル／信号のうちの、同じチャネル／信号の優先順位を有し、同じ帯域に位置するチャネル／信号の目標送信電力に対して、均等比例で電力を低減し、前記送信時間区間において伝送する、電力制御が必要とするアップリンクチャネル／信号のうちの、同じチャネル／信号の優先順位を有し、異なる帯域に位置するチャネル／信号の目標送信電力に対して、当該帯域に対応する電力低減因子に基づいて電力を低減し、電力制御した後に、各アップリンクチャネル／信号の前記送信時間区間における送信電力を取得し、また、電力低減因子が１であるアップリンクチャネル／信号に対して、その目標送信電力を、電力制御した後に、前記アップリンクチャネル／信号の前記送信時間区間における送信電力として確定し、電力を低減する必要がないアップリンクチャネル／信号に対して、その目標送信電力を、電力制御した後に、前記アップリンクチャネル／信号の前記送信時間区間における送信電力として確定するステップとを備え、
前記電力制御が必要とするアップリンクチャネル／信号は、前記送信時間区間において伝送する現在アップリンクサブフレームにおけるアップリンクチャネル／信号であるか、又は前記送信時間区間において伝送する現在アップリンクサブフレームにおけるアップリンクチャネル／信号及び前記送信時間区間において伝送する前記他のアップリンク信号であり、
前記他のアップリンクチャネル／信号は、前記送信時間区間において伝送する、現在のアップリンクサブフレームの直前の隣接アップリンクサブフレームにおけるアップリンクチャネル／信号、及び／又は現在アップリンクサブフレームの直後の隣接サブフレームにおけるアップリンクチャネル／信号を備えることを特徴とする請求項１又は３に記載の方法。
【請求項５】
前記チャネル／信号の優先順位は、
物理アップリンク制御チャネル（ＰＵＣＣＨ）＞アップリンク制御情報（ＵＣＩ）を搬送する物理アップリンク共有チャンネル（ＰＵＳＣＨ）＞ＵＣＩを搬送しないＰＵＳＣＨ＞サウンディング参照信号（ＳＲＳ）、又は、
ＰＵＣＣＨ＞ＵＣＩを搬送するＰＵＳＣＨ＞ＵＣＩを搬送しないＰＵＳＣＨ＝ＳＲＳ、又は、
物理ランダムアクセスチャンネル（ＰＲＡＣＨ）の場合、
ＰＲＡＣＨ＞ＰＵＣＣＨ＞ＵＣＩを搬送するＰＵＳＣＨ＞ＵＣＩを搬送しないＰＵＳＣＨ＞ＳＲＳ、又は、
ＰＲＡＣＨ＞ＰＵＣＣＨ＞ＵＣＩを搬送するＰＵＳＣＨ＞ＵＣＩを搬送しないＰＵＳＣＨ＝ＳＲＳ、又は、
ＰＵＣＣＨ＞ＰＲＡＣＨ＞ＵＣＩを搬送するＰＵＳＣＨ＞ＳＲＳ、又は、
ＰＵＣＣＨ＞ＰＲＡＣＨ＞ＵＣＩを搬送するＰＵＳＣＨ＞ＵＣＩを搬送しないＰＵＳＣＨ＝ＳＲＳであることを特徴とする請求項４に記載の方法。
【請求項６】
前記端末設備が、前記各送信時間区間において、当該送信時間区間において伝送するアップリンクチャネル／信号の目標送信電力に対して電力制御を行った後に、
前記端末設備が、各送信時間区間で行った電力制御後の、現在のアップリンクサブフレームにおける各アップリンクチャネル／信号の送信電力の最小値を、当該アップリンクチャネル／信号が現在のサブフレームにおける各送信時間区間での送信電力として確定し、当該送信電力に従って現在のアップリンクサブフレームにおける各アップリンクチャネル／信号を送信するステップと、
又は、前記端末設備が、それぞれ各送信時間区間で行った電力制御後の、現在のアップリンクサブフレームにおける各アップリンクチャネル／信号の送信電力に従って、現在のアップリンクサブフレームにおけるアップリンクチャネル／信号を送信するステップとを備えることを特徴とする請求項１に記載の方法。
【請求項７】
前記端末設備が、それぞれ各送信時間区間で行った電力制御後の、現在のアップリンクサブフレームにおける各アップリンクチャネル／信号の送信電力に従って、現在のアップリンクサブフレームにおけるアップリンクチャネル／信号を送信する場合に、前記アップリンクチャネル／信号は、現在アップリンクサブフレームにおいて二位相偏移変調（ＢＰＳＫ）又は四位相偏移変調（ＱＰＳＫ）変調モードを採用したアップリンクチャネル／信号であることを特徴とする請求項６に記載の方法。
【請求項８】
前記既定最大送信電力は、前記端末設備の最大許容送信電力及び／又は各帯域の最大許容送信電力を備えることを特徴とする請求項１に記載の方法。
【請求項９】
端末設備であって、
端末設備が、現在アップリンクサブフレームにおいて伝送する各アップリンクチャネル／信号の目標送信電力を確定することに用いられる目標電力算出モジュールと、
現在のアップリンクサブフレームにおけるアップリンクチャネル／信号の伝送時間を複数の送信時間区間に分割することに用いられ、各送信時間区間において任意の時刻におけるアップリンクチャネル／信号が同じであり、且つ各送信時間区間におけるアップリンクチャネル／信号が他の送信時間区間におけるアップリンクチャネル／信号と完全に同じではない時間区間分割モジュールと、
前記各送信時間区間において、電力制御後の、当該送信時間区間において伝送するアップリンクチャネル／信号の送信電力の合計が前記端末設備の既定最大送信電力を超えないことを満たせるように、当該送信時間区間において伝送するアップリンクチャネル／信号の目標送信電力に対して電力制御を行うことに用いられる電力制御モジュールとを備え、
前記電力制御モジュールは、前記各送信時間区間において、当該送信時間区間において伝送する現在のアップリンクサブフレームにおけるアップリンクチャネル／信号の目標送信電力と、当該送信時間区間において伝送する他のアップリンクチャネル／信号の目標送信電力との合計が前記既定最大送信電力を超えるか否かを判断し、
超えると判断する場合、電力制御後の、当該送信時間区間において前記現在のアップリンクサブフレームにおけるアップリンクチャネル／信号の送信電力と前記他のアップリンクチャネル／信号の送信電力との合計が前記既定最大送信電力を超えないことを満たせるように、当該送信時間区間において伝送する前記アップリンクチャネル／信号の目標送信電力に対して電力制御を行い、前記他のアップリンクチャネル／信号が、当該送信時間区間において伝送する、現在のアップリンクサブフレームの直前の隣接アップリンクサブフレームにおけるアップリンクチャネル／信号、及び／又は現在アップリンクサブフレームの直後の隣接サブフレームにおけるアップリンクチャネル／信号を備え、又は、前記他のアップリンクチャネル／信号は空集合であり、
超えないと判断する場合、前記現在のアップリンクサブフレームにおけるアップリンクチャネル／信号の目標送信電力を、当該アップリンクチャネル／信号の前記送信時間区間における送信電力とすることを特徴とする端末設備。
【請求項１０】
前記時間区間分割モジュールは、各アップリンクチャネル／信号に対応する送信時間前進量に従って、現在のアップリンクサブフレームにおけるアップリンクチャネル／信号の伝送時間を複数の送信時間区間に分割し、
前記送信時間区間の数は、前記端末設備がアグリゲーションしたか又は活性化したアップリンクキャリアにおける異なる送信時間前進量を有する数に１を加算したものであることを特徴とする請求項９に記載の端末設備。
【請求項１１】
超えると判断する場合、前記電力制御モジュールは、
電力制御後の、前記送信時間区間において前記現在のアップリンクサブフレームのアップリンクチャネル／信号の送信電力の合計が現在の利用可能な最大送信電力を超えないことを満たせるように、前記送信時間区間において伝送する前記他のアップリンクチャネル／信号の目標送信電力に基づいて、前記送信時間区間において伝送する前記現在のアップリンクサブフレームにおけるアップリンクチャネル／信号の目標送信電力に対して電力制御を行い、
前記現在の利用可能な最大送信電力は、前記既定最大送信電力から前記他のアップリンクチャネル／信号の送信電力を減算したものであり、
前記他のアップリンクチャネル／信号は、当該送信時間区間において伝送する、現在のアップリンクサブフレームの直前の隣接アップリンクサブフレームにおけるアップリンクチャネル／信号、及び／又は現在アップリンクサブフレームの直後の隣接サブフレームにおけるアップリンクチャネル／信号を備え、
又は、電力制御後の、前記送信時間区間において、前記現在のアップリンクサブフレームのアップリンクチャネル／信号の送信電力と前記他のアップリンクチャネル／信号の送信電力との合計が前記既定最大送信電力を超えないことを満たせるように、当該送信時間区間において伝送する前記他のアップリンクチャネル／信号の送信電力、及び前記送信時間区間において伝送する前記現在のアップリンクサブフレームのアップリンクチャネル／信号の目標送信電力に対して電力制御を行い、
前記他のアップリンクチャネル／信号は、当該送信時間区間において伝送する、現在のアップリンクサブフレームの直前の隣接アップリンクサブフレームにおけるアップリンクチャネル／信号、及び／又は現在アップリンクサブフレームの直後の隣接サブフレームにおけるアップリンクチャネル／信号を備え、
又は、電力制御後の、前記送信時間区間において、前記現在のアップリンクサブフレームのアップリンクチャネル／信号の送信電力の合計が前記既定最大送信電力を超えないことを満たせるように、前記送信時間区間において伝送する前記現在のアップリンクチャネル／信号の目標送信電力に対して電力制御を行うことを特徴とする請求項９に記載の端末設備。
【請求項１２】
前記電力制御モジュールは、前記各送信時間区間において、当該送信時間区間において伝送する、電力制御が必要とするアップリンクチャネル／信号の目標送信電力に対して電力制御を行う際には、
前記送信時間区間において伝送する、電力制御が必要とするアップリンクチャネル／信号の目標送信電力に対して均等比例で電力を低減し、電力制御した後に、前記アップリンクチャネル／信号の前記送信時間区間における送信電力を取得するか、
又は、前記送信時間区間において伝送する、電力制御が必要とするアップリンクチャネル／信号に対して、チャネル／信号の優先順位に従って、昇順で電力を徐々に低減し、同一チャネル／信号優先順位を有する複数のチャネル／信号の目標送信電力に対して均等比例で電力を低減し、電力制御した後に、前記アップリンクチャネル／信号の前記送信時間区間における送信電力を取得し電力を減少する必要がないアップリンクチャネル／信号に対して、その目標送信電力を、電力制御した後に、前記アップリンクチャネル／信号の前記送信時間区間における送信電力として確定するか、
又は、前記送信時間区間において伝送する、電力制御が必要とするアップリンクチャネル／信号において同一帯域に位置するアップリンクチャネル／信号の目標送信電力に対して、均等比例で電力を低減し、前記送信時間区間において伝送する、電力制御が必要とするアップリンクチャネル／信号のうちの異なる帯域に位置するアップリンクチャネル／信号の目標送信電力に対して、当該帯域に対応する電力低減因子に基づいて電力を低減し、電力制御した後に、各アップリンクチャネル／信号の前記送信時間区間における送信電力を取得するか、
又は、チャネル／信号の優先順位の降順で徐々に前記送信時間区間において伝送する、電力制御が必要とするアップリンクチャネル／信号において同じチャネル／信号の優先順位を有し、同じ帯域に位置するチャネル／信号の目標送信電力に対して、均等比例で電力を低減し、前記送信時間区間において伝送する、電力制御が必要とするアップリンクチャネル／信号において同じチャネル／信号の優先順位を有し、異なる帯域に位置するチャネル／信号の目標送信電力に対して、当該帯域に対応する電力低減因子に基づいて電力を低減し、電力制御した後に、各アップリンクチャネル／信号の前記送信時間区間における送信電力を取得し、電力低減因子が１であるアップリンクチャネル／信号に対して、その目標送信電力を、電力制御した後に、前記アップリンクチャネル／信号の前記送信時間区間における送信電力として確定し、電力を低減する必要がないアップリンクチャネル／信号に対して、その目標送信電力を、電力制御した後に、前記アップリンクチャネル／信号の前記送信時間区間における送信電力として確定し、
電力制御が必要とするアップリンクチャネル／信号は、前記送信時間区間において伝送する現在アップリンクサブフレームにおけるアップリンクチャネル／信号であるか、又は前記送信時間区間において伝送する現在アップリンクサブフレームにおけるアップリンクチャネル／信号及び前記送信時間区間において伝送する前記他のアップリンク信号であり、
前記他のアップリンクチャネル／信号は、前記送信時間区間において伝送する、現在のアップリンクサブフレームの直前の隣接アップリンクサブフレームにおけるアップリンクチャネル／信号、及び／又は現在アップリンクサブフレームの直後の隣接サブフレームにおけるアップリンクチャネル／信号を備えることを特徴とする請求項９又は１１に記載の端末設備。
【請求項１３】
電力制御モジュールは、前記各送信時間区間において、当該送信時間区間において伝送するアップリンクチャネル／信号の目標送信電力に対して電力制御を行った後に、
各送信時間区間で行った電力制御後の、現在のアップリンクサブフレームにおける各アップリンクチャネル／信号の送信電力の最小値を、当該アップリンクチャネル／信号の、現在のサブフレームにおける各送信時間区間での送信電力として確定するとともに、当該送信電力に従って現在のアップリンクサブフレームにおける各アップリンクチャネル／信号を送信し、
又は、それぞれ各送信時間区間で行った電力制御後の、現在のアップリンクサブフレームにおける各アップリンクチャネル／信号の送信電力に従って、現在のアップリンクサブフレームにおけるアップリンクチャネル／信号を送信することを特徴とする請求項９に記載の端末設備。
【発明の詳細な説明】
【技術分野】
【０００１】
本発明は通信技術領域に関し、特にアップリンク電力制御方法及び装置に関する。
【背景技術】
【０００２】
ＬＴＥ（Ｌｏｎｇ  Ｔｅｒｍ  Ｅｖｏｌｕｔｉｏｎ、長期進化）システムは、通信品質を保証するために、採用した主な手段の１つとしてはアップリンク電力制御である。アップリンク電力制御により、隣接するセルにおいて同じ資源を使用してデータを送信するＵＥ（Ｕｓｅｒ  Ｅｑｕｉｐｍｅｎｔ、ユーザ設備）の間の干渉を最大限に減少することができるとともに、ＵＥの送信電力の適度利用も確保できる。
【０００３】
制御する必要があるアップリンク電力は、主にＰＵＣＣＨ（Ｐｈｙｓｉｃａｌ  Ｕｐｌｉｎｋ  Ｃｏｎｔｒｏｌ  Ｃｈａｎｎｅｌ，物理アップリンク制御チャンネル）の送信電力、ＰＵＳＣＨ（Ｐｈｙｓｉｃａｌ  Ｕｐｌｉｎｋ  Ｓｈａｒｅｄ  Ｃｈａｎｎｅｌ、物理アップリンク共有チャンネル）の送信電力、ＳＲＳ（Ｓｏｕｎｄｉｎｇ  Ｒｅｆｅｒｅｎｃｅ  Ｓｉｇｎａｌ、サウンディング参照信号）の送信電力、及びＰＲＡＣＨ（Ｐｈｙｓｃｉｃａｌ  Ｒａｎｄｏｍ  Ａｃｃｅｓｓ  Ｃｈａｎｎｅｌ，物理ランダムアクセスチャンネル）の送信電力を有する。
【先行技術文献】
【特許文献】
【０００４】
【特許文献１】中国特許出願公開第１０２５７３０３０号明細書
【発明の概要】
【発明が解決しようとする課題】
【０００５】
ＬＴＥ−Ａ（Ｌｏｎｇ  Ｔｅｒｍ  Ｅｖｏｌｕｔｉｏｎ−Ａｄｖａｎｃｅｄ、長期進化増強）Ｒｅｌ−１０（バージョン１０）において、ＵＥは主キャリアでＰＵＣＣＨを伝送ことに使用した送信電力ＰPUCCH は、以下の数式により算出する。
【０００６】
【数１】
0005878643.tif 000002
【０００７】
ここで、ＰCMAX,c（ｉ）は、サブフレームｉにおけるキャリアｃに割り当てるキャリア許容最大送信電力である。パラメータΔF_PUCCH （Ｆ）は、高層により設置され、ＰＵＣＣＨ  ｆｏｒｍａｔ１ａに対する異なるＰＵＣＣＨ  ｆｏｒｍａｔ（格式）の電力オフセット量に相当する。ΔTXD （Ｆ’）は送信分集電力オフセット量を示す。ＵＥが２アンテナポートに設置され伝送を行う場合、ΔTXD （Ｆ’）は、高層シグナリングにより異なるＰＵＣＣＨ  ｆｏｒｍａｔに設置され、数値集合が｛０，−２｝ｄＢである。ＵＥが単一のアンテナポートに設置され、伝送を行う場合、ΔTXD（Ｆ’）＝０である。ｈ（ｎCQI ，ｎHARQ，ｎSR）は、ＰＵＣＣＨが搬送するビット数に関連する電力オフセット量であり、ここで、ｎCQI は、搬送するＣＳＩ（Ｃｈａｎｎｅｌ  Ｓｔａｔｅ  Ｉｎｆｏｒｍａｔｉｏｎ、チャンネル状態情報）ビット数であり、ｎHARQは、搬送するＡＣＫ（ＡＣＫｎｏｗｌｅｄｇｍｅｎｔ、肯定確認）／ＮＡＣＫ（Ｎｏｎ−ＡＣＫｎｏｗｌｅｄｇｍｅｎｔ、否定確認）ビット数であり、ｎSRは、搬送するＳＲ（Ｓｃｈｅｄｕｌｉｎｇ  Ｒｅｑｕｅｓｔ、スケジューリング要求）ビット数である。ＰO_PUCCH は、ＰＵＣＣＨが望む電力目標値であり、高層シグナリングにより設置される。ｇ（ｉ）は電力制御コメント累計値であり、［数２］において、δPUCCH は、ＵＥの専属の訂正値であり、ＴＰＣ（Ｔｒａｎｓｍｉｔ  Ｐｏｗｅｒ  Ｃｏｎｔｒｏｌ、送信電力制御）コメントとも称する。
δPUCCH （ｉ−ｋm ）は、サブフレームｉ−ｋm において取得した訂正値を示す。
ＴＤＤ（Ｔｉｍｅ  Ｄｉｖｉｓｉｏｎ  Ｄｕｐｌｅｘ、時分割復信）システムの場合、ｋm は、現在のサブフレームにおいてＡＣＫ／ＮＡＣＫをフィードバックするダウンリンクサブフレーム集合におけるダウンリンクサブフレームのインデックスであり、Ｍは、当該ダウンリンクサブフレーム集合におけるダウンリンクサブフレームの数である。
ＦＤＤ（Ｆｒｅｑｕｅｎｃｙ  Ｄｉｖｉｓｉｏｎ  Ｄｕｐｌｅｘ、周波数分割復信）システムの場合、ｋm ＝４、Ｍ＝１である。ＰＬC は、ＵＥが測定したキャリアｃの経路損失であり、高層シグナリングにより設置され、ＵＥがＳＩＢ（Ｓｙｓｔｅｍ  Ｉｎｆｏｒｍａｔｉｏｎ  Ｂｌｏｃｋ、システム情報ブロック）２情報で設置されたペアリングキャリア又は主キャリアを採用して測定して取得してもよい。
【０００８】
【数２】
0005878643.tif 000003
【０００９】
ＬＴＥ−Ａ  Ｒｅｌ−１０において、サブフレームｉにおいてＵＥがＰＵＣＣＨを伝送しないと、ＵＥがキャリアｃでＰＵＳＣＨを伝送する送信電力ＰPUSCH,c （ｉ）は、以下の数式に基づいて算出される。
【００１０】
【数３】
0005878643.tif 000004
【００１１】
ＬＴＥ−Ａ  Ｒｅｌ−１０において、ＵＥがサブフレームｉにおいてキャリアｃでＰＵＣＣＨ伝送すると、ＵＥがキャリアｃでＰＵＳＣＨを伝送する送信電力ＰPUSCH,c （ｉ）は、以下の数式に基づいて算出される。
【００１２】
【数４】
0005878643.tif 000005
【００１３】
ここで、［数５］は、ＰCMAX,c（ｉ）の線形閾値であり、即ち、［数６］である。［数７］は、上記のＰＵＣＣＨ送信電力ＰPUCCH （ｉ）の線形閾値である。ＭPUSCH,c （ｉ）は、キャリアｃでＰＵＳＣＨの資源サイズであり、ＲＢ（Ｒｅｓｏｕｒｃｅ  Ｂｌｏｃｋ、資源ブロック）により示す。ＰO_PUSCH,c （ｊ）は、キャリアｃでＰＵＳＣＨが望む電力目標値であり、高層シグナリングにより設置される。αc （ｊ）は、キャリアｃの経路損失補償要素であり、セルの専属パラメータであり、高層シグナリングにより設置される。ＰＬc は、ＵＥが測定したキャリアｃの経路損耗であり、高層シグナリングにより設置され、ＵＥがＳＩＢ（Ｓｙｓｔｅｍ  Ｉｎｆｏｒｍａｔｉｏｎ  Ｂｌｏｃｋ、システム情報ブロック）２情報で設置されたペアリングキャリア又は主キャリアを採用して測定して取得してもよい。ＫS ＝１．２５である場合、［数８］は、異なるＭＳＣ（Ｍｏｄｕｌａｔｉｏｎ  ａｎｄ  Ｃｏｄｉｎｇ  Ｓｃｈｅｍｅ、変調符号化モード）が異なる電力オフセット量に対応することを示す。ＫS ＝０である場合、ΔTF,c（ｉ）＝０は、ＭＳＣに伴って電力調節する機能を停止することを示す。ここで、ＫS は、ＵＥの専属パラメータであり、高層シグナリングにより設置される。ＢＰＲＥ（Ｂｉｔ Ｐｅｒ Ｒｅｓｏｕｒｃｅ Ｅｌｅｍｅｎｔ）は、ＰＵＳＣＨにおいて各資源単位に対応するビット数を示す。［数９］は、ＰＵＳＣＨにおいて搬送するアップリンク制御情報の符号化速度と、ＰＵＳＣＨにおけるアップリンクデータの符号化速度の間のオフセット量を示し、高層シグナリングにより予めに設置される。ｆc （ｉ）は、ＰＵＳＣＨの電力制御調節量であり、累計値と現在絶対値との２種類がある。
【００１４】
【数５】
0005878643.tif 000006
【００１５】
【数６】
0005878643.tif 000007
【００１６】
【数７】
0005878643.tif 000008
【００１７】
【数８】
0005878643.tif 000009
【００１８】
【数９】
0005878643.tif 000010
【００１９】
ＬＴＥ−Ａ  Ｒｅｌ−１０において、ＵＥがサブフレームｃにおいてＳＲＳを伝送するのに必要とする送信電力ＰSRS は、以下の数式により定義される。
【００２０】
【数１０】
0005878643.tif 000011
【００２１】
ここで、ＰSRS_OFFSET,c（ｍ）は、キャリアｃにおいて異なるアンテナポートの設置で、ＰＵＳＣＨに対するＳＲＳの電力オフセット量であり、ｍ＝０は周期ＳＲＳに対応し、ｍ＝１は非周期ＳＲＳに対応する。ＭSRS,c は、キャリアｃにおけるＳＲＳ伝送帯域幅であり、ＲＢ数に示す。他のパラメータは、当該キャリアにおけるＰＵＳＣＨの電力制御パラメータと同じである。
【００２２】
ＬＴＥ−Ａ  Ｒｅｌ−１０において、ＵＥがサブフレームｃにおいてＰＲＡＣＨを伝送する送信電力は、以下の数式により算出される。
ＰＰＲＡＣＨ＝ｍｉｎ｛ＰCMAX,c（ｉ），  ＰＲＥＡＭＢＬＥ＿ＲＥＣＥＩＶＥＤ＿
ＴＡＲＧＥＴ＿ＰＯＷＥＲ＋ＰＬc }［ｄＢｍ］
【００２３】
ここで、ＰＲＥＡＭＢＬＥ＿ＲＥＣＥＩＶＥＤ＿ＴＡＲＧＥＴ＿ＰＯＷＥＲは、ＵＥ的ＭＡＣ（Ｍｅｄｉａ  Ａｃｃｅｓｓ  Ｃｏｎｔｒｏｌ，メディアアクセス制御）層により算出され、ＰＲＡＣＨの目標電力である。
【００２４】
ＬＴＥ−Ａ  Ｒｅｌ−１０において、アップリンク電力制御案は、同じ又は異なるキャリアに位置するＰＵＣＣＨとＰＵＳＣＨが１つのサブフレームにおいて同時に伝送することに基づく電力制御である。ＵＥの現在のサブフレームｉにおける合計送信電力がＵＥの最大許容送信電力を超える場合、電力低減を行う際に、ＵＥの最大許容送信電力との制限を満たすように、ＵＥはＰＵＣＣＨの送信電力を優先的に確保し、均等比例で各サブフレームｃにおけるＰＵＳＣＨの送信電力を減少すべきである。
【００２５】
【数１１】
0005878643.tif 000012
【００２６】
ここで、［数１２］はＰPUSCH,c （ｉ）の線形閾値であり、ｗ（ｉ）は各キャリアにおける電力低減因子であり、０≦ｗ（ｉ）≦１である。現在のサブフレームｉにおいてＰＵＣＣＨの伝送がない場合、［数１３］である。
【００２７】
【数１２】
0005878643.tif 000013
【００２８】
【数１３】
0005878643.tif 000014
【００２９】
ＵＥが現在のサブフレームｉにおいて、ＵＣＩ（Ｕｐｌｉｎｋ  Ｃｏｎｔｒｏｌ  Ｉｎｆｏｒｍａｔｉｏｎ、アップリンク制御情報）を搬送するＰＵＳＣＨ伝送及びＵＣＩを搬送しないＰＵＳＣＨ伝送が同時に存在し、且つＵＥの合計送信電力がＵＥの最大許容送信電力を超える場合、ＵＥの最大許容送信電力への制限を満たすように、ＵＥがＰＵＣＣＨの送信電力が減少しないことを優先的に確保し、そしてＵＣＩを搬送するＰＵＳＣＨの送信電力が減少しないことを確保し、均等比例で各サブフレームにおけるＰＵＳＣＨの送信電力を減少すべきである。
【００３０】
【数１４】
0005878643.tif 000015
【００３１】
ＵＣＩを搬送しない全部のＰＵＳＣＨの電力は何れも０までに減少する場合、ＵＥの合計送信電力が依然としてＵＥの最大許容送信電力を超えれば、ＵＣＩを搬送するＰＵＳＣＨの電力をさらに低減する。現在のサブフレームｉにおいてＰＵＣＣＨ伝送がない場合、［数１５］である。
【００３２】
【数１５】
0005878643.tif 000016
【００３３】
同じサブフレームにおいて複数のキャリアで同時に伝送するＳＲＳに関して、ＵＥの合計送信電力がＵＥの最大許容送信電力を超える場合、ＵＥの最大許容送信電力への制限を満たすように、各キャリアにあるＳＲＳに対して均等比例で電力を低減する。
【００３４】
【数１６】
0005878643.tif 000017
【００３５】
ここで、［数１７］はＰSRS,c （ｉ）の線形閾値であり、ｗ（ｉ）は各キャリアにおけるＳＲＳ電力低減因子であり、０≦ｗ（ｉ）≦１である。
【００３６】
【数１７】
0005878643.tif 000018
【００３７】
ＬＴＥ−Ａ  Ｒｅｌ−１０に定義されたアップリンク伝送は、帯域内（Ｉｎｔｒａ−ｂａｎｄ）のＣＡ（Ｃａｒｒｉｅｒ  Ａｇｇｒｅｇａｔｉｏｎ、キャリア・アグリゲーション）のみを支援し、各キャリアの無線信号の伝送特性が類似すると考えるので、ＰＣＣ（Ｐｒｉｍａｒｙ  Ｃｏｍｐｏｎｅｎｔ  Ｃａｒｒｉｅｒ、プライマリコンポーネントキャリア）におけるＰＲＡＣＨ過程において取得したＴＡ（Ｔｉｍｅ  Ａｄｃａｎｃｅ、定時前進量）に基づいて、アップリンク伝送時間の調節を行う。従って、複数のキャリアのアップリンク伝送時間が合致するので、電力制御はサブフレームを単位として行うことができる。
【００３８】
ＬＴＥ−Ａ  Ｒｅｌ−１１において、アップリンクにおける異なる帯域（Ｉｎｔｒａ−ｂａｎｄ）のＣＡ、及びＭａｃｒｏ  ｅＮＢとリモート無線ヘッド（ＲＲＨ，Ｒｅｍｏｔｅ  Ｒａｄｉｏ  Ｈｅａｄ）が混合されるＣＡ構成案を支援することができる。異なる帯域の無線信号の伝送特性が異なり、且つＭａｃｒｏ  ｅＮＢとＲＲＨの伝送経路が異なることにより、異なるキャリアの送信信号の基地局までの到着時間はそれぞれになってしまう。従って、Ｒｅｌ−１１において、異なるキャリアのＴＡが異なり、複数のキャリアのアップリンク伝送時間が合致しない可能性があるため、１つのキャリアのアップリンクチャネルは、１つのサブフレームにおける異なる伝送時間区間内、直前の隣接サブフレーム及び／又は直後の隣接サブフレームにおけるアップリンクチャネルと同時に伝送する可能性がある。従って、サブフレームを単位とする電力制御案はもう適用できなくなってしまう。
【課題を解決するための手段】
【００３９】
本発明の実施例は、異なるアップリンク伝送時間を有するアップリンクチャネルに対して電力制御することに用いられるアップリンク電力制御方法及び装置を提供する。これにより、端末設備が１つのサブフレームにおいて任意の時刻での合計送信電力が最大送信電力を超えないことを満たせるようになり、システムの正常動作が確保できる。
【００４０】
アップリンク電力制御方法は、端末設備が現在のアップリンクサブフレームにおいて伝送する各アップリンクチャネル／信号の目標送信電力を確定するステップと、前記端末設備が、現在のアップリンクサブフレームにおけるアップリンクチャネル／信号の伝送時間を複数の送信時間区間に分割し、各送信時間区間において任意の時刻におけるアップリンクチャネル／信号が同じであり、且つ各送信時間区間におけるアップリンクチャネル／信号が、他の送信時間区間におけるアップリンクチャネル／信号と完全に同じではないステップと、前記端末設備が、電力制御後の、当該送信時間区間において伝送するアップリンクチャネル／信号の送信電力の合計が前記端末設備の既定最大送信電力を超えないことを満たせるように、前記各送信時間区間において、当該送信時間区間において伝送するアップリンクチャネル／信号の目標送信電力に対して電力制御を行うステップとを備える。
【００４１】
端末設備は、端末設備が現在アップリンクサブフレームにおいて伝送する各アップリンクチャネル／信号の目標送信電力を確定することに用いられる目標電力算出モジュールと、現在のアップリンクサブフレームにおけるアップリンクチャネル／信号の伝送時間を複数の送信時間区間に分割することに用いられ、各送信時間区間において任意の時刻におけるアップリンクチャネル／信号が同じであり、且つ各送信時間区間におけるアップリンクチャネル／信号が他の送信時間区間におけるアップリンクチャネル／信号と完全に同じではない時間区間分割モジュールと、電力制御後の、当該送信時間区間において伝送するアップリンクチャネル／信号の送信電力の合計が前記端末設備の既定最大送信電力を超えないことを満たせるように、前記各送信時間区間において、当該送信時間区間において伝送するアップリンクチャネル／信号の目標送信電力に対して電力制御を行うことに用いられる電力制御モジュールとを備える。
【発明の効果】
【００４２】
１つのアップリンクにおける各アップリンクチャネル／信号に対応する送信時間前進量は異なるため、本発明の実施例では、１つのアップリンクサブフレームにおけるアップリンクチャネル／信号の伝送時間を複数の送信時間区間に分割して、送信時間区間を単位として、当該アップリンクサブフレームにおける各アップリンクチャネル／信号に対して電力制御を行うことにより、電力制御後の、各送信時間区間において、前記端末設備が現在のアップリンクサブフレームにおいて伝送するアップリンクチャネル／信号の送信電力の合計は既定最大送信電力を超えないことを満たせるようになり、システムが正常に動作できることを保証する。
【図面の簡単な説明】
【００４３】
【図１】本発明に係る実施例におけるアップリンク電力制御の主要な方法のフローチャートである。
【図２】本発明に係る実施例におけるアップリンク電力制御の詳細な方法のフローチャートである。
【図３】本発明に係る実施例における伝送の模式図である。
【図４】本発明に係る実施例における端末設備の構成図である。
【発明を実施するための形態】
【００４４】
１つのアップリンクにおける各アップリンクチャネル／信号に対応する送信時間前進量が異なるため、本発明の実施例では、１つのアップリンクサブフレームにおけるアップリンクチャネル／信号の伝送時間を複数の送信時間区間に分割して、送信時間区間を単位として、当該アップリンクサブフレームにおける各アップリンクチャネル／信号に対して電力制御を行うことにより、電力制御後の、各送信時間区間において、前記端末設備が現在のアップリンクサブフレームにおいて伝送するアップリンクチャネル／信号の送信電力の合計が既定最大送信電力を超えないことを満たせるようになり、システムの正常動作が確保できる。
【００４５】
好ましくは、同じＴＡ  ｇｒｏｕｐ（組）に属するキャリアのアップリンク送信時間は同じであり、即ち、同一のアップリンクサブフレームにおいて、当該ＴＡ  ｇｒｏｕｐにおける各キャリアのアップリンクチャネルの送信時間は、合致する。
【００４６】
図１を参照して、本実施例では、アップリンク電力制御の主要な方法のフローチャートは以下の通りである。
ステップ１０１：端末設備は、現在のアップリンクサブフレームにおいて伝送する各アップリンクチャネル／信号（即ち、アップリンクチャネル、又はアップリンク信号、又はアップリンクチャネル及びアップリンク信号）の目標送信電力を確定する。
ステップ１０２：前記端末設備は、現在のアップリンクサブフレームにおけるアップリンクチャネル／信号の伝送時間を複数の送信時間区間に分割する。また、各送信時間区間において任意の時刻におけるアップリンクチャネル／信号は同じであり、且つ各送信時間区間におけるアップリンクチャネル／信号は他の送信時間区間におけるアップリンクチャネル／信号と完全に同じではない。
【００４７】
本実施例では、異なるサブフレーム上で伝送するアップリンクチャネル／信号は異なるアップリンクチャネル／信号であり、異なるキャリア上で伝送するアップリンクチャネル／信号は異なるアップリンクチャネル／信号である。例えば、あるキャリアがサブフレームｉとサブフレームｉ+１においてＰＵＣＣＨを伝送する場合、サブフレームｉのＰＵＣＣＨとサブフレームｉ+１のＰＵＣＣＨは異なるＰＵＣＣＨである。さらに、サブフレームｉにおいてキャリア１と２の何れもＰＵＳＣＨを伝送する場合、キャリア１のＰＵＳＣＨとキャリア２のＰＵＳＣＨは異なるＰＵＳＣＨである。
【００４８】
ステップ１０３：前記端末設備は、電力制御後の、当該送信時間区間において伝送するアップリンクチャネル／信号の送信電力の合計が前記端末設備の既定最大送信電力を超えないことを満たせるように、前記各送信時間区間において、当該送信時間区間において伝送するアップリンクチャネル／信号の目標送信電力に対して電力制御を行う。
【００４９】
前記端末設備は、電力制御した送信電力に従って前記アップリンクチャネル／信号を送信することができる。
【００５０】
ステップ１０２における１つの好ましい実装形態は、前記端末設備が各アップリンクチャネル／信号に対応する送信時間前進量に従って、現在のアップリンクサブフレームにおけるアップリンクチャネル／信号の伝送時間を複数の送信時間区間に分割することである。ここで、送信時間区間の数は、前記端末設備が、アグリゲーションしたか又は活性化したアップリンクキャリアにおける異なる送信時間前進量を有する数に１を加算したものである。具体的には、各アップリンクチャネル／信号の送信開始時間及び／又は終了時間に基づいて送信時間区間を分割する。
【００５１】
前記端末設備は、電力制御を行う場合、前記各送信時間区間において、当該送信時間区間において現在のアップリンクサブフレームにおけるアップリンクチャネル／信号の送信電力と、当該送信時間区間において伝送する他のアップリンクチャネル／信号の目標送信電力との合計が、前記既定最大送信電力を超えるか否かを判断する。
【００５２】
超えると判断する場合、前記端末設備は、当該送信時間区間において伝送する前記アップリンクチャネル／信号の目標送信電力に対して電力制御を行うことにより、電力制御後の、当該送信時間区間において前記現在のアップリンクサブフレームにおけるアップリンクチャネル／信号の送信電力と前記他のアップリンクチャネル／信号の送信電力との合計を、前記既定最大送信電力を超えないことを満たせるようにする。
【００５３】
超えないと判断する場合、前記端末設備が、前記現在のアップリンクサブフレームにおけるアップリンクチャネル／信号の目標送信電力を、当該アップリンクチャネル／信号の前記送信時間区間における送信電力とする。
【００５４】
超えると判断する場合、前記端末設備は、当該送信時間区間において伝送する前記アップリンクチャネル／信号の目標送信電力に対して電力制御する具体的な方法は、以下の通りである。
【００５５】
前記端末設備は、前記送信時間区間において伝送する前記他のアップリンクチャネル／信号の送信電力に基づいて、前記送信時間区間において伝送する前記現在のアップリンクサブフレームのアップリンクチャネル／信号の目標送信電力に対して電力制御を行うことにより、電力制御後の、前記送信時間区間内、前記現在のアップリンクサブフレームのアップリンクチャネル／信号の目標送信電力の合計を、現在の利用可能な最大送信電力を超えないことを満たせるようにする。前記現在の利用可能な最大送信電力は、前記既定最大送信電力から前記他のアップリンクチャネル／信号の送信電力を減算したものである。
【００５６】
又は、前記端末設備は、前記送信時間区間において伝送する前記他のアップリンクチャネル／信号の送信電力、及び前記送信時間区間において伝送する前記現在のアップリンクサブフレームのアップリンクチャネル／信号の目標送信電力に対して電力制御を行うことにより、電力制御後の、前記送信時間区間内、前記現在のアップリンクサブフレームのアップリンクチャネル／信号の送信電力と前記他のアップリンクチャネル／信号の送信電力との合計を、前記既定最大送信電力を超えないことを満たせるようにする。
【００５７】
又は、前記端末設備は、前記送信時間区間において伝送する前記現在のアップリンクサブフレームのアップリンクチャネル／信号の目標送信電力に対して電力制御を行うことにより、電力制御後の、前記送信時間区間内、前記現在のアップリンクサブフレームのアップリンクチャネル／信号の送信電力の合計を、前記既定最大送信電力を超えないことを満たせるようにする。
【００５８】
ここで、異なる送信時間区間により、前記他のアップリンクチャネル／信号は、１つの送信時間区間において伝送する現在のアップリンクサブフレームの直前の隣接アップリンクサブフレームのアップリンクチャネル／信号、及び／又は１つの送信時間区間において伝送する現在のアップリンクサブフレームの直後の隣接アップリンクサブフレームのアップリンクチャネル／信号を備える可能性がある。又は、前記他のアップリンクチャネル／信号は空集合であり、つまり、当該送信時間区間において他のアップリンクチャネル／信号の伝送が存在しない。
【００５９】
異なる時間区間内において、異なる他のアップリンクチャネル／信号を含む状況も考え、上記の異なる電力制御方法は、具体的に以下の３つの状況で使用される。
【００６０】
〈状況１〉
１つの送信時間区間における前記他のアップリンクチャネル／信号が、当該送信時間区間において伝送する現在のアップリンクサブフレームの直前の隣接アップリンクサブフレームのアップリンクチャネル／信号である場合、当該送信時間区間における現在のアップリンクサブフレームのアップリンクチャネル／信号の目標送信電力と当該送信時間区間において伝送する前記他のアップリンクチャネル／信号の送信電力との合計が、前記既定最大送信電力を超える場合、前記端末設備は、当該送信時間区間において伝送する前記アップリンクチャネル／信号の目標送信電力に対して電力制御を行う。具体的には、以下のことを備える。
前記端末設備は、当該送信時間区間において伝送する前記他のアップリンクチャネル／信号の送信電力に基づいて、前記現在のアップリンクサブフレームのアップリンクチャネル／信号の目標送信電力に対して電力制御を行うことにより、電力制御後の、前記現在のアップリンクサブフレームのアップリンクチャネル／信号の送信電力の合計を、現在の利用可能な最大送信電力を超えないことを満たせるようにする。前記現在の利用可能な最大送信電力は、前記既定最大送信電力から前記他のアップリンクチャネル／信号の送信電力を減算したものである。
又は、端末設備は、当該送信時間区間において伝送する前記他のアップリンクチャネル／信号の送信電力、及び前記現在のアップリンクサブフレームにおいて同時に伝送するアップリンクチャネル／信号の目標送信電力に対して電力制御を行うことにより、電力制御後の、前記現在のアップリンクサブフレームのアップリンクチャネル／信号の送信電力と前記他のアップリンクチャネル／信号の送信電力との合計を、前記既定最大送信電力を超えないことを満たせるようにする。
【００６１】
〈状況２〉
１つの送信時間区間における前記他のアップリンクチャネル／信号が、当該送信時間区間において伝送する現在のアップリンクサブフレームの直後の隣接アップリンクサブフレームのアップリンクチャネル／信号である場合、当該送信時間区間における現在のアップリンクサブフレームのアップリンクチャネル／信号の目標送信電力と当該送信時間区間において伝送する前記他のアップリンクチャネル／信号の送信電力との合計が、前記既定最大送信電力を超えれば、前記端末設備は、当該送信時間区間において伝送する前記アップリンクチャネル／信号の目標送信電力に対して電力制御を行う。具体的には、以下のことを備える。
前記端末設備は、当該送信時間区間において伝送する前記他のアップリンクチャネル／信号の送信電力、及び前記現在のアップリンクサブフレームのアップリンクチャネル／信号の目標送信電力に対して電力制御を行うことにより、電力制御後の、前記現在のアップリンクサブフレームにおいて同時に伝送するアップリンクチャネル／信号の送信電力と前記他のアップリンクチャネル／信号の送信電力との合計を、前記既定最大送信電力を超えないことを満たせるようにする。
【００６２】
〈状況３〉
１つの送信時間区間において含まれる前記他のアップリンクチャネル／信号は空集合である場合に、即ち、当該送信時間区間には現在のアップリンクサブフレームの直前の隣接アップリンクサブフレームにおいて伝送するアップリンクチャネル／信号を備えず、且つ現在のアップリンクサブフレームの直後の隣接アップリンクサブフレームにおいて伝送するアップリンクチャネル／信号を備えない場合、当該送信時間区間における現在のアップリンクサブフレーム内のアップリンクチャネル／信号の目標送信電力と当該送信時間区間において伝送する前記他のアップリンクチャネル／信号の送信電力との合計が、前記既定最大送信電力を超えれば、前記端末設備は、当該送信時間区間において伝送する前記アップリンクチャネル／信号の目標送信電力に対して電力制御を行う。具体的には、以下のことを備える。
前記端末設備は、当該送信時間区間において伝送する前記現在のアップリンクサブフレームのアップリンクチャネル／信号の目標送信電力に対して電力制御を行うことにより、電力制御後の、当該送信時間区間において前記現在のアップリンクサブフレームのアップリンクチャネル／信号の送信電力の合計を、前記既定最大送信電力を超えないことを満たせるようにする。
【００６３】
前記端末設備は、前記各送信時間区間において、当該送信時間区間において伝送する、電力制御が必要とするアップリンクチャネル／信号の目標送信電力に対して電力制御を行う。具体的には、以下のことを備える。
【００６４】
〈形態１〉
前記端末設備は、前記送信時間区間において伝送する、電力制御が必要とするアップリンクチャネル／信号の送信電力に対して均等比例で電力を低減し、電力制御した後に、前記アップリンクチャネル／信号の前記送信時間区間における送信電力を取得する。
【００６５】
〈形態２〉
前記端末設備は、前記送信時間区間において伝送する、電力制御が必要とするアップリンクチャネル／信号に対して、アップリンクチャネル／信号の優先順位に従って、昇順で電力を徐々に低減し、同一チャネル／信号優先順位を有する複数のチャネル／信号の目標送信電力に対して均等比例で電力を低減し、電力制御した後に、前記アップリンクチャネル／信号の前記送信時間区間における送信電力を取得する。ここで、電力を減少する必要がないアップリンクチャネル／信号に対して、その目標送信電力を、電力制御した後に、前記アップリンクチャネル／信号の前記送信時間区間における送信電力として確定する。
【００６６】
〈形態３〉
前記端末設備は、前記送信時間区間において伝送する、電力制御が必要とするアップリンクチャネル／信号において同一帯域に位置するアップリンクチャネル／信号の目標送信電力に対して、均等比例で電力を低減し、前記送信時間区間において伝送する、電力制御が必要とするアップリンクチャネル／信号のうちの異なる帯域に位置するアップリンクチャネル／信号の目標送信電力に対して、当該帯域に対応する電力低減因子に基づいて電力を低減し、電力制御した後に、各アップリンクチャネル／信号の前記送信時間区間における送信電力を取得する。
【００６７】
〈形態４〉
前記端末設備は、チャネル／信号の優先順位の降順で、前記送信時間区間において伝送する、電力制御が必要とするアップリンクチャネル／信号のうちの、同じチャネル／信号の優先順位を有し、同じ帯域に位置するチャネル／信号の目標送信電力に対して、均等比例で電力を徐々に低減し、前記送信時間区間において伝送する、電力制御が必要とするアップリンクチャネル／信号のうちの、同じチャネル／信号の優先順位を有し、異なる帯域に位置するチャネル／信号の目標送信電力に対して、当該帯域に対応する電力低減因子に基づいて電力を低減し、電力制御した後に、各アップリンクチャネル／信号の前記送信時間区間における送信電力を取得する。ここで、電力低減因子が１であるアップリンクチャネル／信号に対して、その目標送信電力を、電力制御した後に、前記アップリンクチャネル／信号の前記送信時間区間における送信電力として確定する。電力を低減する必要がないアップリンクチャネル／信号に対して、その目標送信電力を、電力制御した後に、前記アップリンクチャネル／信号の前記送信時間区間における送信電力として確定する。
【００６８】
ここで、上記の３つの具体的な状況の記述によれば、電力制御が必要とするアップリンクチャネル／信号は、前記送信時間区間において伝送する現在アップリンクサブフレームにおけるアップリンクチャネル／信号であり、又は前記送信時間区間において伝送する現在アップリンクサブフレームにおけるアップリンクチャネル／信号及び前記送信時間区間において伝送する前記他のアップリンク信号である。
【００６９】
好ましくは、チャネル／信号の優先順位は、以下のとおりである。
ＰＵＣＣＨ＞ＵＣＩを搬送するＰＵＳＣＨ＞ＵＣＩを搬送しないＰＵＳＣＨ＞ＳＲＳ、
又は、ＰＵＣＣＨ＞ＵＣＩを搬送するＰＵＳＣＨ＞ＵＣＩを搬送しないＰＵＳＣＨ＝ＳＲＳ、
ＰＲＡＣＨが存在する場合、
ＰＲＡＣＨ＞ＰＵＣＣＨ＞ＵＣＩを搬送するＰＵＳＣＨ＞ＵＣＩを搬送しないＰＵＳＣＨ＞ＳＲＳ、
又は、ＰＲＡＣＨ＞ＰＵＣＣＨ＞ＵＣＩを搬送するＰＵＳＣＨ＞ＵＣＩを搬送しないＰＵＳＣＨ＝ＳＲＳ、
又は、ＰＵＣＣＨ＞ＰＲＡＣＨ＞ＵＣＩを搬送するＰＵＳＣＨ＞ＳＲＳ、
又は、ＰＵＣＣＨ＞ＰＲＡＣＨ＞ＵＣＩを搬送するＰＵＳＣＨ＞ＵＣＩを搬送しないＰＵＳＣＨ＝ＳＲＳ。
ここで、ＳＲＳは、非周期ＳＲＳ（Ａｐｅｒｉｏｄｉｃ−ＳＲＳ）及び周期ＳＲＳ（ｐｅｒｉｏｄｉｃ−ＳＲＳ）を備える。非周期ＳＲＳの優先順位は、周期ＳＲＳより優先である。
【００７０】
優先順位に従って電力制御を行う場合、具体的には、優先順位が低いアップリンクチャネル／信号に対して均等比例で電力を低減する（上記の形態２に対応する）。又は、当該帯域に対応する電力低減因子に従って電力を低減する（上記の形態４に対応する）。電力が０までに低減された場合、端末設備が当該送信時間区間においてのアップリンクチャネル／信号の合計電力が依然として最大送信電力より高い場合、優先順位が二番目となるアップリンクチャネル／信号に対して均等比例で電力を低減する（上記の形態２に対応する）。又は、当該帯域に対応する電力低減因子に従って電力を低減する（上記の形態４に対応する）。端末設備が当該送信時間区間においてのアップリンクチャネル／信号の合計電力が最大送信電力より高くなくなるまでに、上記動作を行う。ある１つ又は幾つかの優先順位が低いアップリンクチャネル／信号に対して電力を低減した後に、端末設備のアップリンクチャネル／信号の合計電力が最大送信電力より高くないことを既に満たす場合、他の優先順位のアップリンクチャネル／信号の送信電力は変わらない。即ち、その目標送信電力は電力制御後の送信電力である。
【００７１】
端末設備が頻繁的に送信電力を変換することを回避するために、前記端末設備が電力制御後の送信電力に従って前記アップリンクチャネル／信号を送信する前に、以下のステップを備える。
前記端末設備は、各送信時間区間で行った電力制御後の、現在のアップリンクサブフレームにおける各アップリンクチャネル／信号の送信電力における最小値を、当該アップリンクチャネル／信号が現在のサブフレームにおける各送信時間区間での送信電力として確定するとともに、当該送信電力に従って現在のアップリンクサブフレームにおける各アップリンクチャネル／信号を送信する。
【００７２】
又は、端末設備の送信電力の適合利用のために、前記端末設備は、電力制御後の送信電力に従って前記アップリンクチャネル／信号を送信する前に、以下のステップを備える。
前記端末設備は、それぞれ現在のアップリンクサブフレームにおける各アップリンクチャネル／信号の各送信時間区間において電力制御を行った後の送信電力に従って、現在のアップリンクサブフレームにおけるアップリンクチャネル／信号を送信する。好ましくは、当該方法は、ＢＰＳＫ（Ｂｉｎａｒｙ  Ｐｈａｓｅ  Ｓｈｉｆｔ  Ｋｅｙｉｎｇ、二位相シフト変調）又はＱＰＳＫ（Ｑｕａｄｒａｔｕｒｅ  Ｐｈａｓｅ  Ｓｈｉｆｔ  Ｋｅｙｉｎｇ、四位相シフト変調）変調方式を採用するアップリンクチャネル／信号に適用される。
【００７３】
好ましくは、本実施例における前記既定最大送信電力は、前記端末設備の最大許容送信電力及び／又は各帯域の最大許容送信電力を備える。
【００７４】
本実施例におけるアップリンクチャネル／信号はＰＵＣＣＨ、ＰＵＳＣＨ、ＰＲＡＣＨ、及びＳＲＳ等を備えるが、それらに限定するわけではない。ここで、アップリンクチャネルはＰＵＣＣＨ、ＰＵＳＣＨ、ＰＲＡＣＨ等を備えるが、それらに限定するわけではない。アップリンク信号はＳＲＳ等を備えるが、それらに限定するわけではない。
【００７５】
好ましくは、複数のアップリンクサブフレームにおいて連続送信するＰＲＡＣＨの場合、後続の送信サブフレームにおける送信電力は、一番目の送信サブフレームの送信電力を基準としてもよい。後続のサブフレームにおけるアップリンクチャネル／信号の電力制御は、ＰＲＡＣＨの送信電力を基準として行う（即ち、ＰＲＡＣＨの送信電力は固定で変わらない。例えば、ＰＲＡＣＨの送信電力を既定最大送信電力に合併して、既定最大送信電力とＰＲＡＣＨの送信電力との差を、現在使用する既定最大送信電力とする）。
【００７６】
好ましくは、ＰＵＣＣＨの送信電力をできるだけ保証するために、基地局は優先にＰＣＣ（Ｐｒｉｍａｒｙ  Ｃｏｍｐｏｎｅｎｔ  Ｃａｒｒｉｅｒ、プライマリコンポーネントキャリア）上でＰＵＣＣＨを送信してもよい。又は、基地局は最大ＴＡを有するアップリンクキャリアをＰＣＣとしてもよい。
【００７７】
好ましくは、電力低減因子を、端末設備と基地局が事前に約束したものとするか、又は、基地局により高層シグナリング又はＰＤＣＣＨ（Ｐｈｙｓｉｃａｌ  Ｄｏｗｎｌｉｎｋ  Ｃｏｎｔｒｏｌ  Ｃｈａｎｎｅｌ、物理ダウンリンク制御チャネル）シグナリングを介して端末設備へ通知するものである。前記高層シグナリングは、ＲＲＣ（Ｒａｄｉｏ  Ｒｅｓｏｕｒｃｅ  Ｃｏｎｔｒｏｌ，無線資源制御）シグナリング、及びＭＡＣ（Ｍｅｄｉｕｍ  Ａｃｃｅｓｓ  Ｃｏｎｔｒｏｌ、媒体アクセス制御）シグナリングを備える。電力低減因子は、異なる帯域特性、例えば、周波数端位置、帯域幅、シグナリング状態、設置した伝送情報タイプ、業務等に基づいて設置することができる。好ましくは、異なる帯域の電力低減因子は、同じでもよいし、同じでなくてもよい。異なる帯域の電力低減因子が同じである場合、約束又は通知しないように、一定に設置してもよい。
【００７８】
上記の方法が、同時にＩｎｔｒａ−ｂａｎｄ（帯域内）とＩｎｔｅｒ−ｂａｎｄ（帯域越え）のＣＡ（キャリア・アグリゲーション）のシナリオに適用することは、好ましい。
【００７９】
好ましくは、上記の方法は、同時にＦＤＤとＴＤＤのモードに適用できる。
【００８０】
以下、１つの典型的な実施例により、実施過程を詳細に説明する。
【００８１】
図２を参照すれば、本実施例においてアップリンク電力制御の詳細な方法のフローチャートは以下の通りである。
ステップ２０１：端末設備は、現在のアップリンクサブフレームにおいて伝送する各アップリンクチャネル／信号の目標送信電力を確定する。
ステップ２０２：前記端末設備は、現在のアップリンクサブフレームにおけるアップリンクチャネル／信号の伝送時間を複数の送信時間区間に分割する。
ステップ２０３：時間順位に従って、送信時間区間ごとに、端末設備は、現在のアップリンクサブフレームにおけるアップリンクチャネル／信号の送信電力と、当該送信時間区間において伝送する他のアップリンクチャネル／信号の目標送信電力との合計が、前記既定最大送信電力を超えるか否かを判断する。超えると判断する場合、ステップ２０４に入る。そうでなければ、ステップ２０５に入る。
ステップ２０４：前記端末設備は、前記現在のアップリンクサブフレームにおけるアップリンクチャネル／信号の目標送信電力、及び／又は当該送信時間区間において伝送がある他のアップリンクチャネル／信号に対して電力制御を行うことにより、電力制御後の、当該送信時間区間において前記現在のアップリンクサブフレームにおけるアップリンクチャネル／信号の送信電力と前記他のアップリンクチャネル／信号の送信電力との合計を、前記既定最大送信電力を超えないことを満たせるようにする。
ステップ２０５：前記端末設備は、前記現在のアップリンクサブフレームにおけるアップリンクチャネル／信号の目標送信電力を、当該アップリンクチャネル／信号の前記送信時間区間における送信電力とする。
ステップ２０６：前記端末設備は、電力制御した送信電力に従って、前記アップリンクチャネル／信号を送信する。
【００８２】
例えば、図３に示すように、ＵＥ（Ｕｓｅｒ  Ｅｑｕｉｐｍｅｎｔ、ユーザ設備、又は端末設備と称する）は、４つのキャリアをアグリゲーションしてアップリンク伝送を行い、ＴＡが異なるため、キャリア１と２のアップリンク伝送時間は、キャリア３と４のアップリンク伝送時間より２つのＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ、単一キャリア周波数分割多元接続）符号分を早めた。伝送状況は、図３に示すように、ＵＥがサブフレームｉ（即ち、現在のサブフレーム）におけるチャネルの送信電力を確定する具体的な行為は以下の通りである。
【００８３】
まず、ＵＥは、背景部分で説明した係る数式にそれぞれ基づいて、キャリア１上のＰＵＣＣＨの目標送信電力ＰPUCCH,1 （ｉ）、キャリア２、３、４上のＰＵＣＣＨの目標送信電力ＰPUSCH,2 （ｉ）、ＰPUSCH,3 （ｉ）及びＰPUSCH,4 （ｉ）を算出し、［数１８］に基づいて、その線形閾値を確定する。ここで、Ｘは、あるチャネル／信号を示すものである。
【００８４】
【数１８】
0005878643.tif 000019
【００８５】
異なるキャリアは、異なるアップリンク伝送時間を使用するため、現在アップリンクサブリンクには、３つの送信時間において異なるアップリンクチャネルは同時に伝送し、第１送信時間ｔ１において、キャリア１上のＰＵＣＣＨとキャリア２上のＰＵＳＣＨ及びその直前の隣接するサブフレームにおけるキャリア３上のＰＵＳＣＨが同時に伝送し、第２送信時間ｔ２において、キャリア１上のＰＵＣＣＨとキャリア２、３、４上のＰＵＳＣＨが同時に伝送し、第３送信時間ｔ３において、キャリア３と４上のＰＵＳＣＨと後の隣接するキャリア１上のＰＵＣＣＨ及びキャリア２上のＰＵＳＣＨが同時に伝送すれば、ＵＥは、それぞれ上記の３つの送信時間区間に対して電力制御を行い、各送信時間区間に対して電力制御を行う場合に、当該送信時間区間において、現在アップリンクサブフレームの直前の隣接アップリンクサブフレームにおいて伝送するアップリンクチャネル／信号の送信電力、及び／又は現在アップリンクサブフレームの直後の隣接アップリンクサブフレームにおいて伝送するアップリンクチャネル／信号の送信電力を考慮する必要がある。具体的には、以下の通りである。
【００８６】
時間区間ｔ１の場合、直前の隣接するサブフレーム（サブフレームｉ−１）におけるキャリア３上のＰＵＳＣＨ伝送があり、且つその送信電力を既にＰPUSCH,3 （ｉ−１）として確定し、直前の隣接サブフレームにおけるキャリア４にはアップリンクチャネル／信号の伝送がないため、当該時間区間の電力制御に対して、ＵＥはサブフレームｉ−１におけるキャリア３上のＰＵＳＣＨの送信電力を考慮する必要がある。ＵＥは、当該時間区間において伝送する現在のサブフレームにおけるアップリンクチャネル／信号の目標送信電力と現在のサブフレームの直前の隣接するサブフレームにおいて同時に伝送するアップリンクチャネル／信号の目標送信電力との合計がＵＥの最大許容送信電力ＰCMAXを超えるか否かを判断する。
【００８７】
［数１９］だと判断する場合、当該送信時間区間において電力を低減する必要がない。各アップリンクチャネル／信号の目標送信電力を電力制御後の送信電力にする、即ちＰPUCCH,1,t1′（ｉ）＝ＰPUCCH,1 （ｉ），ＰPUSCH,2,t1′（ｉ）＝ＰPUSCH,2 （ｉ）に確定する。
【００８８】
【数１９】
0005878643.tif 000020
【００８９】
［数２０］だと判断する場合、キャリア１上のＰＵＣＣＨ及びキャリア２上のＰＵＳＣＨに対して当該送信時間区間において電力制御を行うことにより、電力制御後の、現在のサブフレームにおける当該送信時間区間内のアップリンクチャネル／信号の送信電力の合計を、現在利用可能な最大送信電力を超えないことを満たせるようにする。ここで、前記現在の利用可能な最大送信電力は、ＵＥの最大許容送信電力から現在のサブフレームの直前の隣接するサブフレームのアップリンクチャネル／信号を減算した送信電力である。具体的な方法は以下の通りである。
【００９０】
【数２０】
0005878643.tif 000021
【００９１】
〈方法１〉
数式（１）により、当該送信時間において現在のサブフレームにおいて同時に伝送するアップリンクサブフレームのアップリンクチャネル／信号の目標送信電力に対して均等比例で低減する。ここで、ｃはキャリアの番号であり、ｉはサブフレームの番号であり、［数２１］は当該送信時間において現在のサブフレームの前の隣接サブフレーム内で伝送するアップリンクチャネル／信号の送信電力の合計である。具体的には、当該送信時間においてＳＲＳとＰＲＡＣＨの伝送が行われておらず、且つ前の隣接サブフレームにおけるキャリア３上のＰＵＳＣＨの同時伝送のみが行われる場合、数式（１）は［数２２］に相当し、即ち当該数式を満たすｗ（ｉ）（比例係数）値を見つけ、現在のサブフレームにおけるキャリア１とキャリア２上のＰＵＣＣＨ、ＰＵＳＣＨの、現在送信時間区間における電力制御後の送信電力を、それぞれ［数２３］、［数２４］に確定する。
【００９２】
【数２１】
0005878643.tif 000022
【００９３】
【数２２】
0005878643.tif 000023
【００９４】
【数２３】
0005878643.tif 000024
【００９５】
【数２４】
0005878643.tif 000025
【００９６】
【数２５】
0005878643.tif 000026
【００９７】
〈方法２〉
チャネル／信号の優先順位に従い、当該送信時間において、現在のサブフレーム内で同時に伝送する、最も低い優先順位を有するチャネル／信号の目標送信電力を、均等比例で低減する。まず、最も低い優先順位を有するチャネル／信号の目標送信電力を、均等比例で低減する。
ＳＲＳの優先順位が最も低い例を挙げる。数式（２）によれば、ＳＲＳ（ＳＲＳが存在する場合）の目標送信電力を、均等比例で低減する。0ではないｗ（ｉ）が存在する場合、電力低減が終了し、他の優先順位のチャネル／信号（例えば、ＰＵＣＣＨ、ＰＲＡＣＨ及びＰＵＳＣＨ）の目標送信電力をそのまま保持し、アップリンクチャネル／信号の目標送信電力を当該送信時間区間における電力制御後の送信電力とする。０ではないｗ（ｉ）（即ち、ＳＲＳの目標送信電力が０までに低減された場合、残るチャネル／信号の目標送信電力の合計は依然としてＵＥの最大許容送信電力を超える）が存在しない場合、二番目に低い優先順位を有するチャネル／信号の目標送信電力をさらに均等比例で低減する。
ＵＣＩを搬送しないＰＵＳＣＨ優先順位が二番目に低い例を挙げる。数式（３）によれば、ＵＣＩを搬送しないＰＵＳＣＨの目標送信電力を均等比例で低減する。ここで、ｊはＵＣＩを搬送するＰＵＳＣＨの番号である。最大送信電力への制限条件を満たすまでに、このように類推できる。当該送信時間区間では、ＳＲＳとＰＲＡＣＨ伝送が行われていない場合、まず、ＰＵＳＣＨに対して均等比例の電力低減を行い、且つ前の隣接サブフレームにおけるキャリア３上のＰＵＳＣＨの同時伝送のみが行われる場合、数式（３）は［数２６］に相当し、即ち当該数式を満たすｗ（ｉ）（比例係数）値を見つけ、現在のサブフレームにおけるキャリア１とキャリア２上のＰＵＣＣＨ、ＰＵＳＣＨの、現在送信時間区間における電力制御後の送信電力をそれぞれ［数２７］、［数２８］として確定する。
【００９８】
【数２６】
0005878643.tif 000027
【００９９】
【数２７】
0005878643.tif 000028
【０１００】
【数２８】
0005878643.tif 000029
【０１０１】
【数２９】
0005878643.tif 000030
【０１０２】
説明する必要があるのは、上記の方法は、当該送信時間区間において同時に伝送する現在のサブフレームと直前のサブフレームにおけるチャネル／信号の目標送信電力の目標送信電力に対して比例的な電力低減（上記の方法１を再度に利用する）又はチャネル／信号の優先順位に基づく電力低減（上記の方法２を再度に利用する）を行う方法に替える。当該方法は、ＵＥが異なる送信時間区間に対して各自の電力制御後の送信電力で送信することに適用される。即ち、１つのサブフレームにおける異なる送信時間区間において同一のアップリンクチャネル／信号は、異なる送信電力を有する。
【０１０３】
説明する必要があるのは、上記２つの方法は、何れも、直前のアップリンクサブフレームにおけるキャリア３上のＰＵＳＣＨ送信電力を考慮したが、直前のアップリンクサブフレームにおいてキャリア３のＰＵＳＣＨ送信電力を確定する場合、一部送信時間で同時伝送が行われる現在のサブフレーム内のキャリア１上のＰＵＣＣＨとキャリア２上のＰＵＳＣＨを既に考慮したため、現在のサブフレームにおいてＵＥの最大許容送信電力から前のサブフレームにおけるキャリア３上のＰＵＳＣＨ送信電力を減算してから、キャリア１上のＰＵＣＣＨとキャリア２上のＰＵＳＣＨに割り当てる。それは、当該送信時間区間内の現在アップリンクサブフレームにおけるアップリンクチャネル／信号及び前のアップリンクサブフレームにおけるアップリンクチャネル／信号の目標送信電力に対して、方法１又は方法２を同時に使用して電力制御を行うことに相当する。方法１は、当該送信時間区間内の現在のサブフレームと前のサブフレームにおいて同時に伝送するアップリンクチャネル／信号が同じ比例電力を低減することを確保できる。方法２の場合、ＰＵＣＣＨチャネルの優先順位が最も高いので、その送信電力が低減されない可能性がある。
【０１０４】
実際には、現在のサブフレームにおける時間区間ｔ１は前の隣接サブフレームにおける最後の時間区間であり、前のアップリンクサブフレームにおける同一時間区間の送信時間において、端末最大送信電力に基づいてキャリア３上のＰＵＳＣＨ、キャリア１上のＰＵＣＣＨ、及びキャリア２上のＰＵＳＣＨの目標送信電力に対して電力制御を既に行ったため、もしＵＥが前のサブフレームにおける最後の時間区間内の電力制御結果を格納すれば、現在のサブフレームにおける時間区間ｔ１でのキャリア１上のＰＵＣＣＨ及びキャリア２上のＰＵＳＣＨの送信電力として直接に利用でき、上記のステップの電力制御は必要がなくなる。
【０１０５】
時間区間ｔ２では、前のサブフレーム及び後のサブフレームにおいて同時に伝送するアップリンクチャネル／信号が存在しないため、ＵＥは、当該時間区間内の現在のサブフレームにおけるアップリンクチャネル／信号の目標送信電力の合計がＵＥの最大許容送信電力ＰCMAXを超えるか否かを判断する。
【０１０６】
［数３０］だと判断する場合、当該送信時間区間において電力低減を行う必要がない。各チャネル／信号の目標送信電力を電力制御後の送信電力とし、即ちＰPUCCH,1,t2′（ｉ）＝ＰPUCCH,1 （ｉ）、ＰPUSCH,2,t2′（ｉ）＝ＰPUSCH,2 （ｉ）、ＰPUSCH,3,t2′（ｉ）＝ＰPUSCH,3 （ｉ）、ＰPUSCH,4,t2′（ｉ）＝ＰPUSCH,4 （ｉ）に確定する。
【０１０７】
【数３０】
0005878643.tif 000031
【０１０８】
［数３１］だと判断する場合、キャリア１上のＰＵＣＣＨ及びキャリア２、３、４上のＰＵＳＣＨに対して当該送信時間区間において電力制御を行うことにより、電力制御後の、現在のサブフレームにおける当該送信時間区間内のアップリンクチャネル／信号の送信電力の合計を、ＵＥの最大許容送信電力を超えないことを満たせるようにする。具体的な方法は以下の通りである。
【０１０９】
【数３１】
0005878643.tif 000032
【０１１０】
〈方法１〉
数式（４）により、当該送信時間において現在のサブフレームにおいて同時に伝送するアップリンクチャネル／信号の目標送信電力を均等比例で低減する。ここで、ｃはキャリアの番号であり、ｉはサブフレームの番号である。具体的には、当該送信時間においてＳＲＳとＰＲＡＣＨの伝送がない場合、数式（４）は［数３２］に相当し、即ち当該数式を満たすｗ（ｉ）（比例係数）値を見つけ、キャリア１上のＰＵＣＣＨの、現在送信時間区間における電力制御後の送信電力を［数３３］とし、キャリア２、３、４上のＰＵＳＣＨの、現在送信時間区間における電力制御後の送信電力をそれぞれ［数３４］、［数３５］及び［数３６］にするように確定する。
【０１１１】
【数３２】
0005878643.tif 000033
【０１１２】
【数３３】
0005878643.tif 000034
【０１１３】
【数３４】
0005878643.tif 000035
【０１１４】
【数３５】
0005878643.tif 000036
【０１１５】
【数３６】
0005878643.tif 000037
【０１１６】
【数３７】
0005878643.tif 000038
【０１１７】
〈方法２〉
チャネル／信号の優先順位に従い、当該送信時間において、現在のサブフレームにおいて同時に伝送する、最も低い優先順位を有するチャネル／信号の目標送信電力を均等比例で低減する。まず、最も低い優先順位を有するチャネル／信号の目標送信電力を均等比例で低減する。
ＳＲＳの優先順位が最も低い例を挙げる。数式（５）により、ＳＲＳ（ＳＲＳが存在する場合）の目標送信電力を均等比例で低減する。０ではないｗ（ｉ）が存在する場合、電力低減が終了し、他の優先順位のチャネル／信号（例えば、ＰＵＣＣＨ、ＰＲＡＣＨ及びＰＵＳＣＨ）の目標送信電力をそのまま保持し、アップリンクチャネル／信号の目標送信電力を当該送信時間区間における電力制御後の送信電力とする。０ではないｗ（ｉ）（即ち、ＳＲＳの目標送信電力が０までに低減された場合に残るチャネル／信号の目標送信電力の合計は依然としてＵＥの最大許容送信電力を超える）が存在しない場合、二番目に低い優先順位を有するチャネル／信号の目標送信電力を均等比例でさらに低減する。
ＵＣＩを搬送しないＰＵＳＣＨ優先順位が二番目に低い例を挙げる。数式（６）により、ＵＣＩを搬送しないＰＵＳＣＨの目標送信電力を均等比例で低減し、ここでｊはＵＣＩをキャリアするＰＵＳＣＨの番号である。最大送信電力への制限条件を満たすまでに、このように類推できる。具体的には、当該送信時間区間にＳＲＳとＰＲＡＣＨ伝送がない場合、まず、ＰＵＳＣＨに対して均等比例の電力低減を行い、数式（６）は［数３８］に相当し、当該数式を満たすｗ（ｉ）（比例係数）値を見つけ、現在のサブフレームにおけるキャリア１上のＰＵＣＣＨの、現在送信時間区間における電力制御後の送信電力をＰPUCCH,1 ′（ｉ）＝ＰPUCCH,1 （ｉ）とし、キャリア２、３、４上のＰＵＳＣＨの、現在送信時間区間における電力制御後の送信電力を、それぞれ［数３９］、［数４０］及び［数４１］にするように確定する。
【０１１８】
【数３８】
0005878643.tif 000039
【０１１９】
【数３９】
0005878643.tif 000040
【０１２０】
【数４０】
0005878643.tif 000041
【０１２１】
【数４１】
0005878643.tif 000042
【０１２２】
【数４２】
0005878643.tif 000043
【０１２３】
時間区間ｔ３では、直後の隣接サブフレーム（サブフレームｉ＋1）におけるキャリア１上のＰＵＣＣＨ伝送とキャリア２上のＰＵＳＣＨ伝送が存在するため、ＵＥは、まず、後の隣接サブフレーム（サブフレームｉ＋1）におけるキャリア１上のＰＵＣＣＨの目標送信電力ＰPUCCH,1′（ｉ）と、キャリア２上のＰＵＳＣＨの目標送信電力ＰPUCCH,2 （ｉ＋１）を確定する。ＵＥは、当該時間区間内の電力制御に対して、サブフレームｉ＋1におけるキャリア１上のＰＵＣＣＨとキャリア２上のＰＵＳＣＨとの目標送信電力を考慮する必要があるため、ＵＥは、当該時間区間において伝送する現在のサブフレームにおけるアップリンクチャネル／信号の目標送信電力と現在のサブフレームにおける直後の隣接サブフレームにおいて同時に伝送するアップリンクチャネル／信号の合計がＵＥの最大許容送信電力ＰCMAXを超えるか否かを判断する。
【０１２４】
［数４３］だと判断する場合、当該送信時間区間において電力低減を行う必要がなく、各チャネル／信号の目標送信電力が電力制御した送信電力であることを確定し、即ち、
ＰPUSCH,3,t3′（ｉ）＝ＰPUSCH,3 （ｉ）, ＰPUSCH,4,t3′（ｉ）＝ＰPUSCH,4 （ｉ）, ＰPUCCH,1,t3′（ｉ＋１）＝ＰPUCCH,1 （ｉ＋１）, ＰPUSCH,2,t3′（ｉ＋１）＝ＰPUSCH,2 （ｉ＋１）である。
【０１２５】
【数４３】
0005878643.tif 000044
【０１２６】
［数４４］だと判断する場合、電力制御後の、現在のサブフレームにおける当該送信時間区間内のアップリンクチャネル／信号の送信電力と後の隣接サブフレームにおいて同時に伝送するアップリンクチャネル／信号の送信電力との合計を、ＵＥの最大許容送信電力を超えないことを満たせるようにするために、少なくともキャリア３と４上のＰＵＳＣＨの目標送信電力に対して当該送信時間区間における電力制御が必要とする。具体的な方法は以下の通りである。
【０１２７】
【数４４】
0005878643.tif 000045
【０１２８】
〈方法１〉
数式（７）により、当該送信時間において同時に伝送する現在のサブフレームにおけるアップリンクチャネル／信号と直後のサブフレームにおけるアップリンクチャネル／信号の目標送信電力を均等比例で低減する。ここで、ｃはキャリアの番号であり、ｉはサブフレームの番号である。具体的には、当該送信時間においてＳＲＳとＰＲＡＣＨの伝送が行われておらず、且つ直後の隣接サブフレームにおけるキャリア１上のＰＵＣＣＨとキャリア２上のＰＵＳＣＨの同時伝送が行われる場合、数式（７）は［数４５］に相当し、当該数式を満たすｗ（ｉ）（比例係数）値を見つけ、直後のサブフレームにおいてキャリア１とキャリア２上のＰＵＣＣＨ、ＰＵＳＣＨの、現在送信時間区間における電力制御後の送信電力を、それぞれ［数４６］、［数４７］として確定する。
【０１２９】
【数４５】
0005878643.tif 000046
【０１３０】
【数４６】
0005878643.tif 000047
【０１３１】
【数４７】
0005878643.tif 000048
【０１３２】
【数４８】
0005878643.tif 000049
【０１３３】
〈方法２〉
チャネル／信号の優先順位に従って、当該送信時間において同時に伝送する、現在のサブフレームと直後のサブフレームにおける最も低い優先順位を有するチャネル／信号の目標送信電力を均等比例で低減する。まず、最も低い優先順位を有するチャネル／信号の目標送信電力を均等比例で低減する。
ＳＲＳの優先順位が最も低い例を挙げる。数式（８）により、ＳＲＳ（ＳＲＳが存在する場合）の目標送信電力を均等比例で低減する。０ではないｗ（ｉ）が存在する場合、電力低減が終了し、他の優先順位のチャネル／信号（例えば、ＰＵＣＣＨ、ＰＲＡＣＨ及びＰＵＳＣＨ）の目標送信電力をそのまま保持し、アップリンクチャネル／信号を、当該送信時間区間における電力制御後の送信電力とする。０ではないｗ（ｉ）（即ち、ＳＲＳの目標送信電力が０までに低減された場合、残るチャネル／信号の目標送信電力の合計は依然としてＵＥの最大許容送信電力を超える）が存在しない場合、二番目に低い優先順位を有するチャネル／信号の目標送信電力を均等比例でさらに低減する。
ＵＣＩを搬送しないＰＵＳＣＨ優先順位が二番目に低い例を挙げる。数式（９）により、ＵＣＩを搬送しないＰＵＳＣＨの目標送信電力を均等比例で低減し、ここで、ｊ１は現在のサブフレームにおいてＵＣＩを搬送するＰＵＳＣＨの番号であり、ｊ２は直後のサブフレームにおいてＵＣＩを搬送するＰＵＳＣＨの番号である。最大送信電力への制限条件を満たすまでに、このように類推できる。
具体的には、当該送信時間区間では、ＳＲＳとＰＲＡＣＨ伝送が行われていない場合、まず、ＰＵＳＣＨに対して均等比例の電力低減を行い、数式（９）は［数４９］に相当する。当該数式を満たすｗ（ｉ）（比例係数）値を見つけ、直後のサブフレームにおけるキャリア１とキャリア２上のＰＵＣＣＨ、ＰＵＳＣＨの、現在送信時間区間における電力制御後の送信電力をそれぞれ［数５０］、［数５１］にし、現在のサブフレームにおけるキャリア３とキャリア４上のＰＵＳＣＨが現在送信時間区間における電力制御後の送信電力を、それぞれ［数５２］、［数５３］にすることを確定する。
【０１３４】
【数４９】
0005878643.tif 000050
【０１３５】
【数５０】
0005878643.tif 000051
【０１３６】
【数５１】
0005878643.tif 000052
【０１３７】
【数５２】
0005878643.tif 000053
【０１３８】
【数５３】
0005878643.tif 000054
【０１３９】
【数５４】
0005878643.tif 000055
【０１４０】
ＵＥは、現在のサブフレームにおける上記の三つの異なる送信時間区間において、各送信時間区間における電力制御後の送信電力に従って、当該送信時間区間内のアップリンクチャネル／信号を送信する。即ち、各アップリンクチャネルの、異なる送信時間区間における送信電力は、異なる可能性がある。又は、アップリンクチャネル／信号ごとに、ＵＥは、各自のアップリンクチャネルの、異なる送信時間区間における電力制御後の最小送信電力に従って、現在アップリンクサブフレームにおいて当該アップリンクチャネルを送信する。即ち、各アップリンクチャネルにおいて、異なる送信時間区間における送信電力は同じである。好ましくは、高層変調のＰＵＳＣＨ（例えば、１６ＱＡＭ、６４ＱＡＭ変調）では、後者の送信方法を採用する。
【０１４１】
説明する必要があるのは、上記の実施例では、ＵＥの最大許容送信電力を帯域の最大許容送信電力に替えても、同様に適用する。即ち、上記の複数のキャリアが同じ帯域にある場合、同様に、上記方法を採用し、帯域の最大許容送信電力に基づいて、電力低減を行うことにより、電力低減後の各チャネル／信号の送信電力の合計を、帯域の最大許容送信電力を超えないようにすることを確保できる。さらに、ＵＥは同時に他の帯域におけるキャリアにおいて動作する場合、各帯域に対して、それぞれ上記方法を利用して、帯域の最大許容送信電力に基づいて、電力低減を行ってもよい。
【０１４２】
説明する必要があるのは、上記現在のサブフレーム及び／又は直前のサブフレーム及び／又は直後のサブフレームにおけるＰＵＣＣＨが存在しない場合、上記［数５５］である。上記現在のサブフレーム及び／又は直前のサブフレーム及び／又は直後のサブフレームにおけるＰＵＳＣＨが存在しない場合、上記［数５６］である。上記現在のサブフレーム及び／又は直前のサブフレーム及び／又は直後のサブフレームにおけるＳＲＳが存在しない場合、上記［数５７］である。上記現在のサブフレーム及び／又は直前のサブフレーム及び／又は直後のサブフレームにおけるＰＲＡＣＨが存在しない場合、上記［数５８］である。上記ＰＵＣＣＨ、ＰＵＳＣＨ、ＰＲＡＣＨ、ＳＲＳ又は他のアップリンクチャネル／信号の間の伝送位置が変換する場合も、上記の方法は同様に適用できる。即ち、ＰＵＣＣＨ、ＰＵＳＣＨ、ＰＲＡＣＨ、ＳＲＳ又は他のアップリンクチャネル／信号の間の任意の組合伝送の場合も、上記の方法は全部適用できる。
【０１４３】
【数５５】
0005878643.tif 000056
【０１４４】
【数５６】
0005878643.tif 000057
【０１４５】
【数５７】
0005878643.tif 000058
【０１４６】
【数５８】
0005878643.tif 000059
【０１４７】
図４を参照する。本実施例において、端末設備は、目標電力算出モジュール４０１、時間区間分割モジュール４０２、電力制御モジュール４０３を備える。
【０１４８】
目標電力算出モジュール４０１は、端末設備が現在アップリンクサブフレームにおいて伝送する各アップリンクチャネル／信号の目標送信電力を確定することに用いられる。
【０１４９】
時間区間分割モジュール４０２は、現在のアップリンクサブフレームにおけるアップリンクチャネル／信号の伝送時間を複数の送信時間区間に分割することに用いられる。ここで、各送信時間区間におけるアップリンクチャネル／信号は、他の送信時間区間におけるアップリンクチャネル／信号と完全に同じではない。
【０１５０】
電力制御モジュール４０３は、前記各送信時間区間において、各自送信時間区間において伝送するアップリンクチャネル／信号の目標送信電力に対して電力制御することに用いられる。これにより、電力制御した後に、当該送信時間区間において伝送するアップリンクチャネル／信号の送信電力の合計は前記端末設備の既定最大送信電力を超えないことを満たせるようになる。
【０１５１】
時間区間分割モジュール４０２は、具体的には、各アップリンクチャネル／信号に対応する伝送時間前進量に従って、現在のアップリンクサブフレームにおけるアップリンクチャネル／信号の伝送時間を複数の送信時間区間に分割することに用いられる。ここで、送信時間区間の数は、前記端末設備により、アグリゲーションしたか又は活性化したアップリンクキャリアにおける異なる送信時間前進量を有する数に１を加算したものである。
【０１５２】
電力制御モジュール４０３は、具体的には、前記各送信時間区間において、各自送信時間区間において伝送する前記現在アップリンクサブフレームにおけるアップリンクチャネル／信号の送信電力と、当該送信時間区間において伝送する他のアップリンクチャネル／信号の送信電力との合計が、前記既定最大送信電力を超えるか否かを判断することに用いられる。
【０１５３】
超えると判断する場合、当該送信時間区間において伝送する前記アップリンクチャネル／信号の目標送信電力に対して電力制御を行うことにより、電力制御した後に、当該送信時間区間において前記現在のアップリンクサブフレームにおけるアップリンクチャネル／信号の送信電力と前記他のアップリンクチャネル／信号の送信電力との合計を、前記既定最大送信電力を超えないことを満たせるようにする。
【０１５４】
超えないと判断する場合、前記現在のアップリンクサブフレームにおけるアップリンクチャネル／信号の目標送信電力を、当該アップリンクチャネル／信号の前記送信時間区間における送信電力とする。
【０１５５】
超えると判断する場合、電力制御モジュール４０３は、具体的には、当該送信時間区間において伝送する前記他のアップリンクチャネル／信号の目標送信電力に基づいて、当該送信時間区間において伝送する前記現在アップリンクサブフレームにおけるアップリンクチャネル／信号の目標送信電力に対して電力制御を行うことにより、電力制御後の、前記送信時間区間での、前記現在のアップリンクサブフレームのアップリンクチャネル／信号の送信電力の合計を、現在の利用可能な最大送信電力を超えないことを満たせるようにする。前記現在の利用可能な最大送信電力は、前記既定最大送信電力から前記他のアップリンクチャネル／信号の送信電力を減算したものである。
【０１５６】
又は、前記送信時間区間において伝送する前記他のアップリンクチャネル／信号の目標送信電力、及び前記送信時間区間において伝送する前記現在アップリンクサブフレームにおけるアップリンクチャネル／信号の目標送信電力に対して電力制御を行うことにより、電力制御後の、前記送信時間区間での、前記現在のアップリンクサブフレームのアップリンクチャネル／信号の送信電力と前記他のアップリンクチャネル／信号の送信電力との合計を、前記既定最大送信電力を超えないことを満たせるようにする。
【０１５７】
又は、前記送信時間区間において伝送する前記現在のアップリンクサブフレームのアップリンクチャネル／信号の目標送信電力に対して電力制御を行うことにより、電力制御した後に、前記送信時間区間での、前記現在のアップリンクサブフレームにおけるアップリンクチャネル／信号の送信電力の合計を、前記既定最大送信電力を超えないことを満たせるようにする。
【０１５８】
電力制御モジュール４０３は、前記各送信時間区間において伝送する、電力制御が必要とするアップリンクチャネル／信号の目標送信電力に対して電力制御を行う場合に、具体的には、以下のことに用いられる。
【０１５９】
前記送信時間区間において伝送する、電力制御が必要とするアップリンクチャネル／信号の送信電力を、均等比例で低減し、電力制御した後に、前記アップリンクチャネル／信号の前記送信時間区間における送信電力を取得する。
【０１６０】
又は、前記送信時間区間において伝送する、電力制御が必要とするアップリンクチャネル／信号の送信電力に対して、アップリンクチャネル／信号の優先順位に従って、昇順で電力を徐々に低減し、同一チャネル／信号優先順位を有する複数のチャネル／信号の目標送信電力に対して均等比例で電力を低減し、電力制御した後に、前記アップリンクチャネル／信号の前記送信時間区間における送信電力を取得する。ここで、電力を減少する必要がないアップリンクチャネル／信号に関して、その目標送信電力を、電力制御した後に、前記アップリンクチャネル／信号が前記送信時間区間における送信電力として確定する。
【０１６１】
又は、前記送信時間区間において伝送する、電力制御が必要とするアップリンクチャネル／信号において同一帯域に位置するアップリンクチャネル／信号の目標送信電力に対して、均等比例で電力を低減し、前記送信時間区間において伝送する、電力制御が必要とするアップリンクチャネル／信号のうちの異なる帯域に位置するアップリンクチャネル／信号の目標送信電力に対して、当該帯域における対応電力低減因子に基づいて電力を低減し、電力制御した後に、各アップリンクチャネル／信号の前記送信時間区間における送信電力を取得する。
【０１６２】
又は、チャネル／信号の優先順位の降順で徐々に前記送信時間区間において伝送する、電力制御が必要とするアップリンクチャネル／信号において同じチャネル／信号の優先順位を有し、同じ帯域に位置するチャネル／信号の目標送信電力に対して、均等比例で電力を低減し、前記送信時間区間において伝送する、電力制御が必要とするアップリンクチャネル／信号において同じチャネル／信号の優先順位を有し、異なる帯域に位置するチャネル／信号の目標送信電力に対して、当該帯域に対応する電力低減因子に基づいて電力を低減し、電力制御した後に、各アップリンクチャネル／信号の前記送信時間区間における送信電力を取得する。ここで、電力低減因子が１であるアップリンクチャネル／信号に対して、その目標送信電力を、電力制御した後に、前記アップリンクチャネル／信号の前記送信時間区間における送信電力として確定する。電力を低減する必要がないアップリンクチャネル／信号に対して、その目標送信電力を、電力制御した後に、前記アップリンクチャネル／信号の前記送信時間区間における送信電力として確定する。
【０１６３】
ここで、電力制御が必要とするアップリンクチャネル／信号は、前記送信時間区間において伝送する現在アップリンクサブフレームにおけるアップリンクチャネル／信号であり、又は前記送信時間区間において伝送する現在アップリンクサブフレームにおけるアップリンクチャネル／信号及び前記送信時間区間において伝送する前記他のアップリンク信号である。
【０１６４】
好ましくは、前記チャネル／信号の優先順位は、
ＰＵＣＣＨ＞ＵＣＩを搬送するＰＵＳＣＨ＞ＵＣＩを搬送しないＰＵＳＣＨ＞ＳＲＳ、又は、
ＰＵＣＣＨ＞ＵＣＩを搬送するＰＵＳＣＨ＞ＵＣＩを搬送しないＰＵＳＣＨ＝ＳＲＳ、又は、
ＰＲＡＣＨが存在する場合、
ＰＲＡＣＨ＞ＰＵＣＣＨ＞ＵＣＩを搬送するＰＵＳＣＨ＞ＵＣＩを搬送しないＰＵＳＣＨ＞ＳＲＳ、又は、
ＰＲＡＣＨ＞ＰＵＣＣＨ＞ＵＣＩを搬送するＰＵＳＣＨ＞ＵＣＩを搬送しないＰＵＳＣＨ＝ＳＲＳ、又は、
ＰＵＣＣＨ＞ＰＲＡＣＨ＞ＵＣＩを搬送するＰＵＳＣＨ＞ＵＣＩを搬送しないＰＵＳＣＨ＝ＳＲＳ。
【０１６５】
本実施例では、前記他のアップリンクチャネル／信号は、前記送信時間区間において伝送する、現在アップリンクサブフレームの直前の隣接するサブフレームにおけるアップリンクチャネル／信号、及び／又は現在アップリンクサブフレームの直後の隣接サブフレームにおけるアップリンクチャネル／信号を備える。又は、前記他のアップリンクチャネル／信号は空集合である。
【０１６６】
電力制御モジュール４０３は、前記各送信時間区間において、当該送信時間区間において伝送するアップリンクチャネル／信号の目標送信電力を電力制御した後、さらに、以下のことに用いられる。
【０１６７】
各送信時間区間における電力制御後の、現在のアップリンクサブフレームにおける各アップリンクチャネル／信号の送信電力最小値を、当該アップリンクチャネル／信号の、現在のサブフレームにおける各送信時間区間での送信電力として確定するとともに、当該送信電力に従って現在のアップリンクサブフレームにおける各アップリンクチャネル／信号を送信する。
【０１６８】
又は、前記端末設備は、それぞれ各送信時間区間で行った電力制御後の、現在のアップリンクサブフレームにおける各アップリンクチャネル／信号の送信電力に従って、現在のアップリンクサブフレームにおけるアップリンクチャネル／信号を送信する。
【０１６９】
電力制御モジュールが、それぞれ各送信時間区間で行った電力制御後の、現在のアップリンクサブフレームにおける各アップリンクチャネル／信号の送信電力に従って、現在のアップリンクサブフレームにおけるアップリンクチャネル／信号を送信する場合に、前記アップリンクチャネル／信号は、現在アップリンクサブフレームにおいてＢＰＳＫ又はＱＰＳＫ変調モードを採用したアップリンクチャネル／信号である。
【０１７０】
本実施例では、前記既定最大送信電力は、前記端末設備の最大許容送信電力及び／又は各帯域の最大許容送信電力を備える。
【０１７１】
アップリンクサブフレームにおける各アップリンクチャネル／信号の送信時間前進量は異なるため、本発明の実施例では、アップリンクサブフレームにおけるアップリンクチャネル／信号の伝送時間を複数の送信時間区間に分割して、送信時間区間を単位として、アップリンクサブフレームにおける各アップリンクチャネル／信号に対して電力制御を行うことにより、電力制御後の、当該送信時間区間において伝送するアップリンクチャネル／信号の送信電力の合計を、端末装置の既定最大送信電力を超えないことを満たせるようにし、システムの正常動作を保証できる。本発明の実施例は、電力を低減する必要があるアップリンクチャネルに対して様々な調節モードが提供され、異なる優先順位及び／又は異なる帯域を有するアップリンク伝送に適用する。
【０１７２】
当業者にとって理解すべきは、本発明の実施形態が方法、システム、又はコンピュータプログラム製品で提供されることができる。従って、本発明は完全ハードウェア実施形態、完全ソフトウェア実施形態、又はソフトウェアとハードウェアの合わせの実施形態を用いることができる。かつ、本発明は１つ又は複数のここでコンピュータ利用可能なプログラムコードを含むコンピュータ利用可能な記憶媒体（磁気メモリ、ＣＤ−ＲＯＭ、光学メモリ等を含むがこれらに限られない）で実施するコンピュータプログラム製品の形式を用いることができる。
【０１７３】
本発明は本発明の実施形態による方法、設備（システム）、及びコンピュータプログラム製品のフロー図及び／又はブロック図を参照して説明したものである。理解すべきは、コンピュータプログラムコマンドによりフロー図及び／又はブロック図の中の各流れ及び／又はブロック、及びフロー図及び／又はブロック図の中の流れ及び／又はブロックの合わせを実現できる。これらのコンピュータプログラムコマンドを通用コンピュータ、専用コンピュータ、埋め込みプロセッサ又はその他のプログラム可能なデータ処理装置のプロセッサに提供して１つの機器を生じ、コンピュータ又はその他のプログラム可能なデータ処理装置のプロセッサが実行するコマンドはフロー図の１つの流れ又は複数の流れ及び／又はブロック図の１つのブロック又は複数のブロックに指定する機能を実現するための装置を生じるようになる。
【０１７４】
これらコンピュータプログラムコマンドはコンピュータ又はその他のプログラム可能なデータ処理装置を引導して所定の方式で動作させるコンピュータ読み取る可能なメモリに記憶されてもよく、該コンピュータ読み取る可能なメモリに記憶されるコマンドはコマンド装置を備える製品を生じるようになり、該コマンド装置がフロー図の１つの流れ又は複数の流れ及び／又はブロック図の１つのブロック又は複数のブロックに指定する機能を実現する。
【０１７５】
これらコンピュータプログラムコマンドはコンピュータ又はその他のプログラム可能なデータ処理装置にロードしてもよく、コンピュータ又はその他のプログラム可能な装置で一連動作ステップを実行してコンピュータが実現する処理を生じ、このようにして、コンピュータ又はその他のプログラム可能な装置で実行するコマンドがフロー図の１つの流れ又は複数の流れ及び／又はブロック図の１つのブロック又は複数のブロックに指定する機能を実現するステップを提供する。
【０１７６】
本発明の好適な実施形態を説明したが、当業者は基本的な創造性概念を知ると、これら実施形態に対して様々な変更と修正を行うことができる。従って、添付した特許請求の範囲は好適な実施形態及び本発明範囲に入るすべての変更と修正を含むことを意図する。
【０１７７】
当然、当業者は本発明の実施形態に対して様々な変更と変形を行うことができるが、本発明の実施形態の精神と範囲を逸脱しない。このようにして、本発明の実施形態のこれら修正と変形が本発明の特許請求の範囲及びその同等技術の範囲に含まれれば、本発明はこれら修正と変形を含むことを意図する。
【０１７８】
本出願は、２０１１年１２月８日に中国特許局に提出された、出願番号が２０１１１０４０５３２１.６であり、発明名称が「アップリンク電力制御方法及び装置」である中国特許出願を基礎とする優先権を主張し、その全部の内容を引用することにより本出願に取り込む。
【図１】
0005878643.tif 000060
【図２】
0005878643.tif 000061
【図３】
0005878643.tif 000062
【図４】
0005878643.tif 000063